(57)【要約】  本発明の実施形態は、中間デバイスにより、第1のS1メッセージを取得することであって、第1のS1メッセージがマクロ基地局識別情報およびセルグローバル識別情報を含み、マクロ基地局識別情報が中間デバイスの識別情報である、取得することと、中間デバイスにより、第1のS1メッセージが中間デバイスによって管理されるスモールセルセット内のスモールセルに送信される必要があるかどうかを判定することと、イエスである場合、中間デバイスにより、セルグローバル識別情報に対応するスモールセル識別情報を取得し、マクロ基地局識別情報をスモールセル識別情報に変換し、第2のS1メッセージを生成することであって、第2のS1メッセージがスモールセル識別情報を含む、生成することと、中間デバイスにより、スモールセル識別情報に対応するスモールセルに第2のS1メッセージを送信することとを含む、S1メッセージ伝送方法を開示する。それに対応して、本発明の実施形態は中間デバイスをさらに開示する。本発明は、20ビットを超える基地局識別情報をサポートしながら、アップグレードコストを削減することができる。
2018534801.tif 000002
【特許請求の範囲】
【請求項１】
S1メッセージ伝送方法であって、
中間デバイスにより、第1のS1メッセージを取得するステップであって、前記第1のS1メッセージがマクロ基地局識別情報およびセルグローバル識別情報を備え、前記マクロ基地局識別情報が前記中間デバイスの識別情報である、ステップと、
前記中間デバイスにより、前記第1のS1メッセージが前記中間デバイスによって管理されるスモールセルセット内のスモールセルに送信される必要があるかどうかを判定するステップと、
イエスである場合、前記中間デバイスにより、前記セルグローバル識別情報に対応するスモールセル識別情報を取得し、前記マクロ基地局識別情報を前記スモールセル識別情報に変換し、第2のS1メッセージを生成するステップであって、前記第2のS1メッセージが前記スモールセル識別情報を備える、ステップと、
前記中間デバイスにより、前記スモールセル識別情報に対応するスモールセルに前記第2のS1メッセージを送信するステップと
を備える、方法。
【請求項２】
前記マクロ基地局識別情報を前記スモールセル識別情報に変換する前記ステップが、
カスタムフィールドを拡張することにより、前記マクロ基地局識別情報を前記スモールセル識別情報に変換するステップ
を備える、請求項1に記載の方法。
【請求項３】
前記マクロ基地局識別情報を前記スモールセル識別情報に変換する前記ステップが、
前記マクロ基地局識別情報のフィールドおよび前記マクロ基地局識別情報以外の識別情報のアイドルフィールドに従って、前記マクロ基地局識別情報を前記スモールセル識別情報に変換するステップ
を備える、請求項1に記載の方法。
【請求項４】
中間デバイスにより、第1のS1メッセージを取得する前記ステップが、
前記中間デバイスにより、コアネットワークデバイスによって送信された第1のS1メッセージを受信するステップ
を備える、請求項1から3のいずれか一項に記載の方法。
【請求項５】
前記中間デバイスにより、前記第1のS1メッセージが前記中間デバイスによって管理されるスモールセルセット内のスモールセルに送信される必要があるかどうかを判定する前記ステップが、
前記第1のS1メッセージのメッセージタイプを識別するステップと、
前記第1のS1メッセージの前記メッセージタイプがページングPAGINGメッセージ、発展型無線アクセスベアラセットアップ要求E−RAB SETUP REQUESTメッセージ、または初期コンテキストセットアップ要求INITIAL CONTEXT SETUP REQUESTメッセージのうちのいずれか1つを備えるとき、前記中間デバイスにより、前記第1のS1メッセージに対応するユーザ機器UEが前記スモールセルセットに属するセル内に位置するかどうかを判定するステップと、
イエスである場合、前記中間デバイスにより、前記第1のS1メッセージが前記スモールセルセット内の前記スモールセルに送信される必要があると判定するステップと、
を備える、請求項1から4のいずれか一項に記載の方法。
【請求項６】
S1メッセージ伝送方法であって、
中間デバイスにより、第1のS1メッセージを取得するステップであって、前記第1のS1メッセージがスモールセル識別情報を備える、ステップと、
前記中間デバイスにより、前記第1のS1メッセージがコアネットワークデバイスに送信される必要があるかどうかを判定するステップと、
イエスである場合、前記中間デバイスにより、前記スモールセル識別情報をマクロ基地局識別情報に変換し、第2のS1メッセージを生成するステップであって、前記第2のS1メッセージが前記マクロ基地局識別情報を備え、前記マクロ基地局識別情報が前記中間デバイスの識別情報である、ステップと、
前記中間デバイスにより、前記中間デバイスに関連付けられた前記コアネットワークデバイスに前記第2のS1メッセージを送信するステップと
を備える、方法。
【請求項７】
前記中間デバイスにより、前記スモールセル識別情報をマクロ基地局識別情報に変換する前記ステップが、
前記中間デバイスにより、前記スモールセル識別情報から、前記マクロ基地局識別情報としてあらかじめ設定された長さのビットを取り込むステップ
を備える、請求項6に記載の方法。
【請求項８】
前記中間デバイスにより、前記第1のS1メッセージがコアネットワークデバイスに送信される必要があるかどうかを判定する前記ステップが、
スモールセルハンドオーバー手順を実施するプロセスにおいて、ソーススモールセルまたは宛先スモールセルのうちのただ1つが前記中間デバイスによって管理されるスモールセルセットに属する場合、
前記中間デバイスにより、前記スモールセルセットに属するスモールセルによって前記スモールセルハンドオーバー手順内で送信された第1のS1メッセージが、前記コアネットワークデバイスに送信される必要があると判定するステップであって、前記第1のS1メッセージが、ハンドオーバー必要HANDOVER REQUIREDメッセージ、ハンドオーバー要求承認HANDOVER REQUEST ACKNOWLEDGEメッセージ、またはハンドオーバー通知HANDOVER NOTIFYメッセージのうちのいずれか1つを備える、ステップ
を備える、請求項6または7に記載の方法。
【請求項９】
前記スモールセルセットが最大2（y−x）個のスモールセルを備え、前記スモールセルセット内のスモールセルごとに最大2（z−y）個のセルが構成され、xが前記マクロ基地局識別情報のビット幅であり、yが前記スモールセル識別情報のビット幅であり、zが前記セルグローバル識別情報のビット幅であり、x＝20、y≧20、z≧y≧xであり、x、y、およびzがすべて整数である、
請求項1から8のいずれか一項に記載の方法。
【請求項１０】
z＝28、y＜28であり、スモールセルごとに最大228−y個のセルが構成される、請求項9に記載の方法。
【請求項１１】
中間デバイスであって、
第1のS1メッセージを取得するように構成された取得モジュールであって、前記第1のS1メッセージがマクロ基地局識別情報およびセルグローバル識別情報を備え、前記マクロ基地局識別情報が前記中間デバイスの識別情報である、取得モジュールと、
前記取得モジュールによって取得された前記第1のS1メッセージが、前記中間デバイスによって管理されるスモールセルセット内のスモールセルに送信される必要があるかどうかを判定するように構成された判定モジュールと、
前記判定モジュールの判定結果がイエスである場合、前記セルグローバル識別情報に対応するスモールセル識別情報を取得し、前記マクロ基地局識別情報を前記スモールセル識別情報に変換し、第2のS1メッセージを生成するように構成された変換モジュールであって、前記第2のS1メッセージが前記スモールセル識別情報を備える、変換モジュールと、
前記スモールセル識別情報に対応するスモールセルに、前記変換モジュールによって生成された前記第2のS1メッセージを送信するように構成された送信モジュールと
を備える、中間デバイス。
【請求項１２】
前記変換モジュールが、
カスタムフィールドを拡張することにより、前記マクロ基地局識別情報を前記スモールセル識別情報に変換すること
を行うように構成される、請求項11に記載の中間デバイス。
【請求項１３】
前記変換モジュールが、
前記マクロ基地局識別情報のフィールドおよび前記マクロ基地局識別情報以外の識別情報のアイドルフィールドに従って、前記マクロ基地局識別情報を前記スモールセル識別情報に変換すること
を行うように構成される、請求項11に記載の中間デバイス。
【請求項１４】
前記取得モジュールが、
コアネットワークデバイスによって送信された第1のS1メッセージを受信すること
を行うように構成される、請求項11から13のいずれか一項に記載の中間デバイス。
【請求項１５】
前記判定モジュールが、
前記第1のS1メッセージのメッセージタイプを識別することと、
前記第1のS1メッセージの前記メッセージタイプがページングPAGINGメッセージ、発展型無線アクセスベアラセットアップ要求E−RAB SETUP REQUESTメッセージ、または初期コンテキストセットアップ要求INITIAL CONTEXT SETUP REQUESTメッセージのうちのいずれか1つを備えるとき、前記第1のS1メッセージに対応するユーザ機器UEが前記スモールセルセットに属するセル内に位置するかどうかを判定することと、
イエスである場合、前記第1のS1メッセージが前記スモールセルセット内の前記スモールセルに送信される必要があると判定することと
を行うように構成される、請求項11から14のいずれか一項に記載の中間デバイス。
【請求項１６】
中間デバイスであって、
第1のS1メッセージを取得するように構成された取得モジュールであって、前記第1のS1メッセージがスモールセル識別情報を備える、取得モジュールと、
前記取得モジュールによって取得された前記第1のS1メッセージが、コアネットワークデバイスに送信される必要があるかどうかを判定するように構成された判定モジュールと、
前記判定モジュールの判定結果がイエスである場合、前記スモールセル識別情報をマクロ基地局識別情報に変換し、第2のS1メッセージを生成するように構成された変換モジュールであって、前記第2のS1メッセージが前記マクロ基地局識別情報を備え、前記マクロ基地局識別情報が前記中間デバイスの識別情報である、変換モジュールと、
前記中間デバイスに関連付けられた前記コアネットワークデバイスに、前記変換モジュールによって生成された前記第2のS1メッセージを送信するように構成された送信モジュールと
を備える、中間デバイス。
【請求項１７】
前記変換モジュールが、
前記スモールセル識別情報から、前記マクロ基地局識別情報としてあらかじめ設定された長さのビットを取り込むこと
を行うように構成される、請求項16に記載の中間デバイス。
【請求項１８】
前記判定モジュールが、
スモールセルハンドオーバー手順を実施するプロセスにおいて、ソーススモールセルまたは宛先スモールセルのうちのただ1つが前記中間デバイスによって管理されるスモールセルセットに属する場合、
前記スモールセルセットに属するスモールセルによって前記スモールセルハンドオーバー手順内で送信された第1のS1メッセージが、前記コアネットワークデバイスに送信される必要があると判定することであって、前記第1のS1メッセージが、ハンドオーバー必要HANDOVER REQUIREDメッセージ、ハンドオーバー要求承認HANDOVER REQUEST ACKNOWLEDGEメッセージ、またはハンドオーバー通知HANDOVER NOTIFYメッセージのうちのいずれか1つを備える、判定すること
を行うように構成される、請求項16または17に記載の中間デバイス。
【請求項１９】
前記スモールセルセットが最大2（y−x）個のスモールセルを備え、前記スモールセルセット内のスモールセルごとに最大2（z−y）個のセルが構成され、xが前記マクロ基地局識別情報のビット幅であり、yが前記スモールセル識別情報のビット幅であり、zが前記セルグローバル識別情報のビット幅であり、x＝20、y≧20、z≧y≧xであり、x、y、およびzがすべて整数である、
請求項11から18のいずれか一項に記載の中間デバイス。
【請求項２０】
z＝28、y＜28であり、スモールセルごとに最大228−y個のセルが構成される、請求項19に記載の中間デバイス。
【請求項２１】
1つまたは複数のプロセッサと、メモリと、バスシステムと、トランシーバと、1つまたは複数のプログラムと
を備える中間デバイスであって、前記1つまたは複数のプロセッサ、前記メモリ、および前記トランシーバが、前記バスシステムを使用することによって接続され、
前記1つまたは複数のプログラムが前記メモリに記憶され、前記1つまたは複数のプログラムが命令を備え、前記中間デバイスによって実行されると、前記命令が、請求項1から10のいずれか一項に記載の方法を前記中間デバイスが実行することを可能にする、
中間デバイス。
【請求項２２】
1つまたは複数のプログラムを記憶するコンピュータ可読記憶媒体であって、前記1つまたは複数のプログラムが命令を備え、前記中間デバイスによって実行されると、前記命令が、請求項1から10のいずれか一項に記載の方法を前記中間デバイスが実行することを可能にする、コンピュータ可読記憶媒体。
【発明の詳細な説明】
【技術分野】
【０００１】
本発明は、通信分野に関し、詳細には、S1メッセージ伝送方法および中間デバイスに関する。
【背景技術】
【０００２】
ワイヤレス通信技術が発展するにつれて、ホーム基地局の概念が徐々に台頭している。ホーム基地局は小型で低電力の基地局であり、家庭またはオフィスなどの室内を前提にして展開されている。ホーム基地局は、主に、高いサービス速度をユーザに提供し、高速サービスを使用するために必要なコストを削減するために使用され、既存の分散されたセルラーワイヤレス通信システムの不十分なカバレージを補完する。
【０００３】
対象プロトコルは、各HeNB（Home evolved NodeB、ホーム発展型ノードB、略してHeNB）がただ1つのセルをサポートし、普通のセルが行うのと同じ方法でそのセルが識別されることを規定する。加えて、デバイスタイプを迅速に区別するために、HeNBは、マクロ基地局とは異なる基地局識別情報を有する。マクロ基地局の基地局識別情報は20ビットのビット幅を有し、HeNBの基地局識別情報は28ビットのビット幅を有し、HeNBの基地局識別情報のビット幅は、HeNBによってサービスされるセルのセル識別情報のビット幅と同じである。LTE Small Cellが大規模に展開されるにつれて、現在、事業者のスモールセルの数は100万に達している。20ビットの基地局アドレス空間はもはや十分ではない。不十分な基地局アドレス空間の問題を解決するために、3GPP（the 3rd Generation Partnership Project、第3世代パートナーシッププロジェクト、略して3GPP）は、HeNBの基地局識別情報のビット幅を28bitに増やした。
【０００４】
既存の解決策は以下の問題を有することを前述から知ることができる：コアネットワークデバイスとマクロ基地局の両方が、それに対応して28bitの基地局識別情報をサポートするようにアップグレードされる必要があり、対応するS1インターフェースとX2インターフェースの両方が、28bitの基地局識別情報をサポートするように修正される必要がある。これにより、既存のネットワークに対する比較的大きな変更が必要とされ、比較的高いアップグレードコストにつながる。
【発明の概要】
【課題を解決するための手段】
【０００５】
技術的問題を解決するために、本発明の実施形態は、20bitを超える基地局識別情報がサポートされる必要があるときに高いアップグレードコストがもたらされる従来の問題を解決するために、S1メッセージ伝送方法および中間デバイスを提供する。
【０００６】
前述の技術的問題を解決するために、本発明の実施形態の第1の態様は、
中間デバイスにより、第1のS1メッセージを取得するステップであって、第1のS1メッセージがマクロ基地局識別情報およびセルグローバル識別情報を含み、マクロ基地局識別情報が中間デバイスの識別情報である、ステップと、
中間デバイスにより、第1のS1メッセージが中間デバイスによって管理されるスモールセルセット内のスモールセルに送信される必要があるかどうかを判定するステップと、
イエスである場合、中間デバイスにより、セルグローバル識別情報に対応するスモールセル識別情報を取得し、マクロ基地局識別情報をスモールセル識別情報に変換し、第2のS1メッセージを生成するステップであって、第2のS1メッセージがスモールセル識別情報を含む、ステップと、
中間デバイスにより、スモールセル識別情報に対応するスモールセルに第2のS1メッセージを送信するステップと
を含む、S1メッセージ伝送方法を提供する。
【０００７】
第1の態様を参照して、第1の可能な実装形態では、マクロ基地局識別情報をスモールセル識別情報に変換するステップは、
カスタムフィールドを拡張することにより、マクロ基地局識別情報をスモールセル識別情報に変換するステップ
を含む。
【０００８】
第1の態様を参照して、第2の可能な実装形態では、マクロ基地局識別情報をスモールセル識別情報に変換するステップは、
マクロ基地局識別情報のフィールドおよびマクロ基地局識別情報以外の識別情報のアイドルフィールドに従って、マクロ基地局識別情報をスモールセル識別情報に変換するステップ
を含む。
【０００９】
第1の態様から第1の態様の第2の可能な実装形態のうちのいずれか1つを参照して、第3の可能な実装形態では、中間デバイスにより、第1のS1メッセージを取得するステップは、
中間デバイスにより、コアネットワークデバイスによって送信された第1のS1メッセージを受信するステップ
を含む。
【００１０】
第1の態様から第1の態様の第3の可能な実装形態を参照して、第4の可能な実装形態では、中間デバイスにより、第1のS1メッセージが中間デバイスによって管理されるスモールセルセット内のスモールセルに送信される必要があるかどうかを判定するステップは、
第1のS1メッセージのメッセージタイプを識別するステップと、
第1のS1メッセージのメッセージタイプがページングPAGINGメッセージ、発展型無線アクセスベアラセットアップ要求E−RAB SETUP REQUESTメッセージ、または初期コンテキストセットアップ要求INITIAL CONTEXT SETUP REQUESTメッセージのうちのいずれか1つを含むとき、中間デバイスにより、第1のS1メッセージに対応するユーザ機器UEがスモールセルセットに属するセル内に位置するかどうかを判定するステップと、
イエスである場合、中間デバイスにより、第1のS1メッセージがスモールセルセット内のスモールセルに送信される必要があると判定するステップと、
ノーである場合、中間デバイスにより、第1のS1メッセージがスモールセルセット内のスモールセルに送信される必要がないと判定するステップと
を含む。
【００１１】
第1の態様から第1の態様の第4の可能な実装形態のうちのいずれか1つを参照して、第5の可能な実装形態では、中間デバイスにより、第1のS1メッセージが中間デバイスによって管理されるスモールセルセット内のスモールセルに送信される必要があるかどうかを判定するステップは、
中間デバイスにより、あらかじめ設定されたマッピング関係に従って、セルグローバル識別情報に関連付けられたスモールセル識別情報を照会するステップと、
スモールセル識別情報が見つかった場合、第1のS1メッセージがスモールセルセット内のスモールセルに送信される必要があると判定するステップと、
スモールセル識別情報が見つからなかった場合、第1のS1メッセージがスモールセルセット内のスモールセルに送信される必要がないと判定するステップと
を含む。
【００１２】
本発明の実施形態の第2の態様は、
第1の態様を参照して、第2の可能な実装形態では、
中間デバイスにより、第1のS1メッセージを取得するステップであって、第1のS1メッセージがスモールセル識別情報を含む、ステップと、
中間デバイスにより、第1のS1メッセージがコアネットワークデバイスに送信される必要があるかどうかを判定するステップと、
イエスである場合、中間デバイスにより、スモールセル識別情報をマクロ基地局識別情報に変換し、第2のS1メッセージを生成するステップであって、第2のS1メッセージがマクロ基地局識別情報を含み、マクロ基地局識別情報が中間デバイスの識別情報である、ステップと、
中間デバイスにより、中間デバイスに関連付けられたコアネットワークデバイスに第2のS1メッセージを送信するステップと
を含む、S1メッセージ伝送方法を提供する。
【００１３】
第2の態様を参照して、第1の可能な実装形態では、中間デバイスにより、スモールセル識別情報をマクロ基地局識別情報に変換するステップは、
中間デバイスにより、スモールセル識別情報から、マクロ基地局識別情報としてあらかじめ設定された長さのビットを取り込むステップ
を含む。
【００１４】
第2の態様または第2の態様の第1の可能な実装形態を参照して、第2の可能な実装形態では、中間デバイスにより、第1のS1メッセージがコアネットワークデバイスに送信される必要があるかどうかを判定するステップは、
スモールセルハンドオーバー手順を実施するプロセスにおいて、ソーススモールセルもしくは宛先スモールセルのうちのただ1つが中間デバイスによって管理されるスモールセルセットに属する場合、
中間デバイスにより、スモールセルセットに属するスモールセルによってスモールセルハンドオーバー手順内で送信された第1のS1メッセージが、コアネットワークデバイスに送信される必要があると判定することであって、第1のS1メッセージが、ハンドオーバー必要HANDOVER REQUIREDメッセージ、ハンドオーバー要求承認HANDOVER REQUEST ACKNOWLEDGEメッセージ、もしくはハンドオーバー通知HANDOVER NOTIFYメッセージのうちのいずれか1つを含む、判定するステップ、または
スモールセルハンドオーバー手順を実施するプロセスにおいて、ソーススモールセルと宛先スモールセルの両方が中間デバイスによって管理されるスモールセルセットに属する場合、
中間デバイスにより、スモールセルハンドオーバー手順内でソーススモールセルおよび宛先スモールセルによって送信された第1のS1メッセージが、コアネットワークデバイスに送信される必要がないと判定するステップ
を含む。
【００１５】
第1の態様から第1の態様の第3の可能な実装形態、または第2の態様から第2の態様の第2の可能な実装形態のうちのいずれか1つを参照して、スモールセルセットは最大2（y−x）個のスモールセルを含み、スモールセルセット内のスモールセルごとに最大2（z−y）個のセルが構成され、xはマクロ基地局識別情報のビット幅であり、yはスモールセル識別情報のビット幅であり、zはセルグローバル識別情報のビット幅であり、x＝20、y≧20、z≧y≧xであり、x、y、およびzはすべて整数である。
【００１６】
前述の実装形態を参照すると、z＝28、y＜28であり、スモールセルごとに最大228−y個のセルが構成される。
【００１７】
本発明の実施形態の第3の態様は、
第1のS1メッセージを取得するように構成された取得モジュールであって、第1のS1メッセージがマクロ基地局識別情報およびセルグローバル識別情報を含み、マクロ基地局識別情報が中間デバイスの識別情報である、取得モジュールと、
取得モジュールによって取得された第1のS1メッセージが、中間デバイスによって管理されるスモールセルセット内のスモールセルに送信される必要があるかどうかを判定するように構成された判定モジュールと、
判定モジュールの判定結果がイエスである場合、セルグローバル識別情報に対応するスモールセル識別情報を取得し、マクロ基地局識別情報をスモールセル識別情報に変換し、第2のS1メッセージを生成するように構成された変換モジュールであって、第2のS1メッセージがスモールセル識別情報を含む、変換モジュールと、
スモールセル識別情報に対応するスモールセルに、変換モジュールによって生成された第2のS1メッセージを送信するように構成された送信モジュールと
を含む、中間デバイスを提供する。
【００１８】
第3の態様を参照して、第1の可能な実装形態では、変換モジュールは、
カスタムフィールドを拡張することにより、マクロ基地局識別情報をスモールセル識別情報に変換すること
を行うように構成される。
【００１９】
第3の態様を参照して、第2の可能な実装形態では、変換モジュールは、
マクロ基地局識別情報のフィールドおよびマクロ基地局識別情報以外の識別情報のアイドルフィールドに従って、マクロ基地局識別情報をスモールセル識別情報に変換すること
を行うように構成される。
【００２０】
第3の態様から第2の可能な実装形態のうちのいずれか1つを参照して、第4の可能な実装形態では、取得モジュールは、
コアネットワークデバイスによって送信された第1のS1メッセージを受信すること
を行うように構成される。
【００２１】
第3の態様から第3の態様の第3の可能な実装形態のうちのいずれか1つを参照して、第4の可能な実装形態では、取得モジュールは、
第1のS1メッセージのメッセージタイプを識別することと、
第1のS1メッセージのメッセージタイプがページングPAGINGメッセージ、発展型無線アクセスベアラセットアップ要求E−RAB SETUP REQUESTメッセージ、または初期コンテキストセットアップ要求INITIAL CONTEXT SETUP REQUESTメッセージのうちのいずれか1つを含むとき、第1のS1メッセージに対応するユーザ機器UEがスモールセルセットに属するセル内に位置するかどうかを判定することと、
イエスである場合、第1のS1メッセージがスモールセルセット内のスモールセルに送信される必要があると判定することと
を行うように構成される。
【００２２】
本発明の実施形態の第4の態様は、
第1のS1メッセージを取得するように構成された取得モジュールであって、第1のS1メッセージがスモールセル識別情報を含む、取得モジュールと、
取得モジュールによって取得された第1のS1メッセージが、コアネットワークデバイスに送信される必要があるかどうかを判定するように構成された判定モジュールと、
判定モジュールの判定結果がイエスである場合、スモールセル識別情報をマクロ基地局識別情報に変換し、第2のS1メッセージを生成するように構成された変換モジュールであって、第2のS1メッセージがマクロ基地局識別情報を含み、マクロ基地局識別情報が中間デバイスの識別情報である、変換モジュールと、
中間デバイスに関連付けられたコアネットワークデバイスに、変換モジュールによって生成された第2のS1メッセージを送信するように構成された送信モジュールと
を含む、中間デバイスを提供する。
【００２３】
第4の態様を参照して、第1の可能な実装形態では、変換モジュールは、
スモールセル識別情報から、マクロ基地局識別情報としてあらかじめ設定された長さのビットを取り込むこと
を行うように構成される。
【００２４】
第4の態様または第4の態様の第1の可能な実装形態を参照して、第2の可能な実装形態では、判定モジュールは、
スモールセルハンドオーバー手順を実施するプロセスにおいて、ソーススモールセルと宛先スモールセルの両方が中間デバイスによって管理されるスモールセルセットに属する場合、
スモールセルハンドオーバー手順内でソーススモールセルおよび宛先スモールセルによって送信された第1のS1メッセージが、コアネットワークデバイスに送信される必要がないと判定すること、または
ソーススモールセルもしくは宛先スモールセルのうちのただ1つが中間デバイスによって管理されるスモールセルセットに属する場合、
スモールセルセットに属するスモールセルによってスモールセルハンドオーバー手順内で送信された第1のS1メッセージが、コアネットワークデバイスに送信される必要があると判定することであって、第1のS1メッセージが、ハンドオーバー必要HANDOVER REQUIREDメッセージ、ハンドオーバー要求承認HANDOVER REQUEST ACKNOWLEDGEメッセージ、もしくはハンドオーバー通知HANDOVER NOTIFYメッセージのうちのいずれか1つを含む、判定すること
を行うように構成される。
【００２５】
第3の態様から第3の態様の第4の可能な実装形態、または第4の態様から第4の態様の第2の可能な実装形態のうちのいずれか1つを参照して、スモールセルセットは最大2（y−x）個のスモールセルを含み、スモールセルセット内のスモールセルごとに最大2（z−y）個のセルが構成され、xはマクロ基地局識別情報のビット幅であり、yはスモールセル識別情報のビット幅であり、zはセルグローバル識別情報のビット幅であり、x＝20、y≧20、z≧y≧xであり、x、y、およびzはすべて整数である。
【００２６】
前述の実装形態を参照すると、z＝28、y＜28であり、スモールセルごとに最大228−y個のセルが構成される。
【００２７】
本発明の実施形態の第5の態様は、
1つまたは複数のプロセッサと、メモリと、バスシステムと、トランシーバと、1つまたは複数のプログラムと
を含む中間デバイスを提供し、
1つまたは複数のプロセッサ、メモリ、およびトランシーバは、バスシステムを使用することによって接続され、
1つまたは複数のプログラムはメモリに記憶され、1つまたは複数のプログラムは命令を含み、中間デバイスによって実行されると、命令は、第1の態様から第1の態様の第3の可能な実装形態、または第2の態様から第2の態様の第2の可能な実装形態のうちのいずれか1つによる方法を中間デバイスが実行することを可能にする。
【００２８】
本発明の実施形態の第4の態様は、1つまたは複数のプログラムを記憶するコンピュータ可読記憶媒体を提供し、1つまたは複数のプログラムは命令を含み、中間デバイスによって実行されると、命令は、第1の態様から第1の態様の第3の可能な実装形態、または第2の態様から第2の態様の第2の可能な実装形態のうちのいずれか1つによる方法を中間デバイスが実行することを可能にする。
【００２９】
本発明を実装すると、以下の有益な効果がもたらされる。
【００３０】
中間デバイスがコアネットワークデバイスとスモールセルとの間に構成され、中間デバイスが伝送されたS1メッセージ内の基地局識別情報を変換し、その結果、変換後に取得された基地局識別情報がコアネットワークデバイスおよびスモールセルのフォーマット要件を満たす。このようにして、コアネットワークデバイスは多くの基地局をサポートすることができ、不十分な基地局識別情報空間の問題が解決され、コアネットワークデバイスおよびマクロ基地局を変更する必要がなく、アップグレードコストが削減される。
【００３１】
本発明の実施形態または従来技術における技術的解決策をより明確に記載するために、以下で、実施形態を記載するために必要とされる添付図面を簡単に記載する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００３２】
【図１】本発明の一実施形態による、通信システムのネットワークアーキテクチャ図である。
【図２】本発明の一実施形態による、S1メッセージ伝送方法の概略フローチャートである。
【図３】本発明の一実施形態による、S1メッセージ伝送方法の別の概略フローチャートである。
【図４】本発明の一実施形態による、S1メッセージ伝送方法の概略相互作用図である。
【図５】本発明の一実施形態による、S1メッセージ伝送方法の別の概略相互作用図である。
【図６】本発明の一実施形態による、中間デバイスの概略構造図1である。
【図７】本発明の一実施形態による、中間デバイスの概略構造図2である。
【図８】本発明の一実施形態による、中間デバイスの概略構造図3である。
【図９】本発明の一実施形態による、中間デバイスの概略構造図4である。
【発明を実施するための形態】
【００３３】
以下で、本発明の実施形態における添付図面を参照して、本発明の実施形態における技術的解決策を明確かつ完全に記載する。明らかに、記載される実施形態は、本発明の実施形態のうちのいくつかにすぎず、すべてではない。創造的な努力なしに本発明の実施形態に基づいて、当業者によって取得されるすべての他の実施形態は、本発明の保護範囲内に入るべきである。
【００３４】
図1を参照すると、図1は、本発明の一実施形態による、通信システムの概略構造図である。コアネットワークデバイスは、複数のマクロ基地局および複数の中間デバイスを管理する。コアネットワークデバイスは、標準S1インターフェースを使用することにより、中間デバイスおよびマクロ基地局と通信する。コアネットワークデバイスには、MME（Mobility Management Entity、モビリティ管理エンティティ、略してMME）およびSGW（Serving GateWay、サービングゲートウェイ、略してSGW）が含まれる。MMEは、S1−MMEインターフェースを使用することにより、中間デバイスおよびマクロ基地局と通信する。SGWは、S1−Uインターフェースを使用することにより、中間デバイスおよびマクロ基地局と通信する。S1−MMEインターフェースは、制御プレーンデータを伝送するように構成される。S1−Uインターフェースは、ユーザプレーンデータを伝送するように構成される。隣接するマクロ基地局間、マクロ基地局と中間デバイスとの間、および中間デバイス間の通信は、標準X2インターフェースを使用することによって実施される。図1では、マクロ基地局と中間デバイスが互いに通信することが例として使用される。スモールセルセットは中間デバイスごとに構成される場合がある。スモールセルセットは複数のスモールセルを含む。スモールセルセットはマクロ基地局向けには構成されない。複数のセルは、スモールセルセット内のスモールセル向けに構成される場合がある。中間デバイスと、中間デバイスによって管理されるスモールセルセット内の各スモールセルは、拡張S1インターフェースを使用することによって互いに通信する。2つの隣接するスモールセルは、拡張X2インターフェースを使用することによって互いに通信する。上述された標準S1インターフェースは、20ビットの基地局識別情報をサポートするS1インターフェースを表す。拡張S1インターフェースは、20ビットを超える基地局識別情報をサポートするS1インターフェースを表す。標準X2インターフェースは、20ビットの基地局識別情報をサポートするX2インターフェースを表す。拡張X2インターフェースは、20ビットを超える基地局識別情報をサポートするX2インターフェースを表す。コアネットワークデバイスが中間デバイスと通信するとき、中間デバイスはマクロ基地局の機能を実装する。中間デバイスがスモールセルと通信するとき、中間デバイスはコアネットワークデバイスの機能を実装する。マクロ基地局は、スモールセルの存在に気づくことができないが、中間デバイスの存在のみに気づくことができる。マクロ基地局は、手動またはANR（Automatic Neighbour Relation、自動ネイバー関係、略してANR）を使用することにより、隣接する基地局として中間デバイスを追加する場合がある。
【００３５】
各中間デバイスはいくつかの物理ホストを使用することによって実装される場合があり、または複数の仮想マシンが1つの物理ホスト上で動作して、複数の中間デバイスを実装する場合があることに留意されたい。図1に示されたように、中間デバイスの機能を実装する複数の仮想マシンは、物理ホストSC−AG上で動作する。中間デバイスは、仮想標準X2インターフェースを使用することによって互いに通信する。仮想マシンの作成プロセスおよび構成プロセスは従来技術で開示されており、詳細は本明細書では記載されない。
【００３６】
本発明のこの実施形態における通信システムの相互作用手順には、ダウンストリーム方向の相互作用手順およびアップストリーム方向の相互作用手順が含まれる。下記で述べられるS1メッセージは、（標準S1インターフェースおよび拡張S1インターフェース）を含むS1インターフェースを使用することによって伝送されるメッセージを表す。X2メッセージは、（標準X2インターフェースおよび拡張X2インターフェース）を含むX2インターフェースを使用することによって伝送されるメッセージを表す。ダウンストリーム方向の相互作用手順は以下の通りである。
【００３７】
たとえば、第1のS1メッセージはコアネットワークデバイスからである。コアネットワークデバイスは、マクロ基地局識別情報およびセルグローバル識別情報を含む第1のS1メッセージを中間デバイスに送信する。マクロ基地局識別情報は中間デバイスの識別情報である。マクロ基地局識別情報のビット幅は20bit以下である。セルグローバル識別情報は、グローバルな範囲内で、スモールセル向けに構成されたセルの識別情報を一意に表すために使用される。セルグローバル識別情報のビット幅は20bitよりも大きく、通常28bitである。セルグローバル識別情報に加えて、スモールセル向けに構成されたセルは、セルID、PID（Physical Cell Identifier、物理セル識別子、略してPID）、またはUE S1AP IDによって識別される場合があることに留意されたい。中間デバイスは、コアネットワークデバイスによって送信された第1のS1メッセージを受信する。中間デバイスは、第1のS1メッセージが中間デバイスによって管理されるスモールセルセット内のスモールセルに送信される必要があるかどうかを判定する。イエスである場合、中間デバイスは、あらかじめ設定されたマッピング関係に従って、セルグローバル識別情報に対応するスモールセル識別情報を取得する。マッピング関係は、中間デバイス上で保持される場合があるか、または別のデバイス上で保持される場合がある。中間デバイスは、第1のS1メッセージ内のマクロ基地局識別情報を、取得されたスモールセル識別情報に変換し、変換後、スモールセル識別情報を含む第2のS1メッセージを生成する。中間デバイスは、スモールセル識別情報に対応するスモールセルに生成された第2のS1メッセージを送信し、スモールセルは中間デバイスによって管理されるスモールセルセット内にある。第1のスモールセルは、第2のS1メッセージのメッセージタイプを受信し、対応するシグナリング手順を完了する。
【００３８】
アップストリーム方向の相互作用手順は以下の通りである。たとえば、中間デバイスは、中間デバイスによって管理されるスモールセルセットから第1のS1メッセージを取得する。中間デバイスによって管理されるスモールセルセット内のスモールセルは、スモールセル識別情報を含む第1のS1メッセージを生成する。スモールセル識別情報はスモールセルの識別情報である。スモールセル識別情報のビット幅は20bitよりも大きい。スモールセルは、スモールセルに関連付けられた中間デバイスに第1のS1メッセージを送信する。中間デバイスは、中間デバイスによって管理されるスモールセルセット内のスモールセルによって送信された第1のS1メッセージを受信する。中間デバイスは、第1のS1メッセージがコアネットワークデバイスに送信される必要があるかどうかを判定する。第1のS1メッセージがコアネットワークデバイスに送信される必要がある場合、中間デバイスはマクロ基地局識別情報を取得する。マクロ基地局識別情報は中間デバイスの識別情報である。マクロ基地局は、スモールセル識別情報をマクロ基地局識別情報に変換し、変換動作を実施した後、マクロ基地局識別情報を含む第2のS1メッセージを生成する。中間デバイスは、中間デバイスに関連付けられたコアネットワークデバイスに第2のS1メッセージを送信する。コアネットワークデバイスは、第2のS1メッセージのメッセージタイプに応じて、対応するシグナリング手順を完了する。各スモールセルはただ1つの中間デバイスに関連付けられ、各中間デバイスはだだ1つのコアネットワークデバイスに関連付けられることに留意されたい。
【００３９】
本発明の実施形態では、中間デバイスはコアネットワークデバイスとスモールセルとの間に構成され、中間デバイスは伝送されたS1メッセージ内の基地局識別情報を変換し、その結果、変換後に取得された基地局識別情報は、コアネットワークデバイスおよびスモールセルのフォーマット要件を満たす。このようにして、コアネットワークデバイスは多くの基地局をサポートすることができ、不十分な基地局識別情報空間の問題が解決され、コアネットワークデバイスおよびマクロ基地局を変更する必要がなく、アップグレードコストが削減される。
【００４０】
図2を参照すると、図2は、本発明の一実施形態による、S1メッセージ伝送方法の概略フローチャートである。本発明のこの実施形態では、方法は以下のステップを含む。
【００４１】
S201．中間デバイスが第1のS1メッセージを取得する。
【００４２】
具体的には、中間デバイスにより第1のS1メッセージを取得するための方法は、中間デバイスから生成された第1のS1メッセージを取得すること、またはコアネットワークデバイスによって送信された第1のS1メッセージを受信すること、または別のネットワークデバイスによって送信された第1のS1メッセージを受信することであり得る。第1のS1メッセージは、マクロ基地局識別情報およびセルグローバル識別情報を含む。マクロ基地局識別情報は中間デバイスの識別情報である。マクロ基地局識別情報のビット幅は20bit以下である。セルグローバル識別情報はスモールセル向けに構成されたセルの識別情報を表す。セルの識別情報はグローバルな範囲内で一意である。
【００４３】
S202．中間デバイスが、第1のS1メッセージが中間デバイスによって管理されるスモールセルセット内のスモールセルに送信される必要があるかどうかを判定する。
【００４４】
具体的には、中間デバイスはスモールセルセットを管理し、スモールセルセットは複数のスモールセルを含む。中間デバイスにより、第1のS1メッセージが中間デバイスによって管理されるスモールセルセット内のスモールセルに送信される必要があるかどうかを判定するための方法は、第1のS1メッセージのメッセージタイプおよび宛先ネットワークデバイスに応じて、第1のS1メッセージが中間デバイスによって管理されるスモールセルセット内のスモールセルに送信される必要があるかどうかを判定することである。たとえば、第1のS1メッセージは、中間デバイスによって管理されるスモールセルセット内のスモールセルの構成プロセス、またはスモールセルに属するセル内のユーザ機器の構成に関連し、第1のS1メッセージは、中間デバイスによって管理されるスモールセルセット内のスモールセルに送信される必要がある。第1のS1メッセージが中間デバイス（マクロ基地局）の構成プロセスのみに関連する場合、スモールセルセット内のスモールセルに第1のS1メッセージを送信する必要はない。
【００４５】
S203．第1のS1メッセージがスモールセルに送信される必要がある場合、中間デバイスが、セルグローバル識別情報に対応するスモールセル識別情報を取得し、マクロ基地局識別情報をスモールセル識別情報に変換し、マクロ基地局識別情報を含む第2のS1メッセージを生成する。
【００４６】
具体的には、セルグローバル識別情報は、スモールセル向けに構成されたセルの識別情報を一意に表すために使用される。第1のS1メッセージがスモールセルに送信される必要があると中間デバイスが判定した場合、中間デバイスは、スモールセル識別情報とセルグローバル識別情報との間のあらかじめ設定されたマッピング関係に従って、セルグローバル識別情報に対応するスモールセル識別情報を取得する。マッピング関係は、中間デバイス上で保持される場合があるか、または別のネットワークデバイス上で保持される場合がある。複数のセルがスモールセル向けに構成される場合があり、すなわち、1つのスモールセル識別情報が複数のグローバルセル識別情報に関連付けられる。スモールセル識別情報のビット幅は20bitよりも大きい。第1のS1メッセージ内のマクロ基地局識別情報をスモールセル識別情報に変換した後、中間デバイスは第2のS1メッセージを生成する。第2のS1メッセージはスモールセル識別情報を含む。
【００４７】
S204．中間デバイスが、スモールセル識別情報に対応するスモールセルに第2のS1メッセージを送信する。
【００４８】
具体的には、中間デバイスは、スモールセル識別情報に対応するスモールセルに第2のS1メッセージを送信し、スモールセルは中間デバイスによって管理されるスモールセルセット内にある。第1のスモールセルは第2のS1メッセージを受信し、第2のS1メッセージのメッセージタイプに応じて、対応するシグナリング手順を完了する。
【００４９】
本発明のこの実施形態の実装中、中間デバイスは、ダウンストリーム方向に伝送されたS1メッセージに含まれるマクロ基地局識別情報をスモールセル識別情報に変換し、その結果、変換が実施された後に取得されたS1メッセージは、スモールセルのフォーマット要件を満たす。このようにして、既存のマクロ基地局を変更する必要はなく、アップグレードコストが削減される。
【００５０】
マクロ基地局識別情報をスモールセル識別情報に変換するステップは、
カスタムフィールドを拡張することにより、マクロ基地局識別情報をスモールセル識別情報に変換するステップ
を含む。
【００５１】
具体的には、マクロ基地局識別情報のビット幅は、スモールセル識別情報のビット幅よりも小さい。中間デバイスは、マクロ基地局識別情報用のカスタムフィールドを拡張することにより、スモールセル識別情報のビット幅を取得することができる。たとえば、スモールセル識別情報のビット幅は28bitであり、マクロ基地局識別情報のビット幅は20bitである。中間デバイスは、8bitのカスタムフィールドにより20bitのマクロ基地局識別情報を拡張することができ、その結果、既存のマクロ基地局識別情報のビット幅は28bitに変わり、拡張されたマクロ基地局識別情報が見つかったスモールセル識別情報に変換される。
【００５２】
マクロ基地局識別情報をスモールセル識別情報に変換するステップは、
マクロ基地局識別情報のフィールドおよびマクロ基地局識別情報以外の識別情報のアイドルフィールドに従って、マクロ基地局識別情報をスモールセル識別情報に変換するステップ
を含む。
【００５３】
具体的には、マクロ基地局識別情報のビット幅は、スモールセル識別情報のビット幅よりも小さい。マクロ基地局識別情報およびセルグローバル識別情報に加えて、第1のS1メッセージは、別の識別情報、たとえば、UE S1AP IDまたはPIDを含む場合がある。別の識別情報内のアイドルフィールドは、マクロ基地局識別情報のビット幅とスモールセル識別情報のビット幅との間の差分として使用される。たとえば、マクロ基地局識別情報は20bitのビット幅を有し、スモールセル識別情報は28bitのビット幅を有する。第1のS1メッセージ内で搬送される別の識別情報PIDのビット幅は18bitであるが、PID内では、10bitのみが使用され、8bitのアイドルフィールドが存在する。中間デバイスは、PID内のアイドルの8bitに従って既存の20bitのマクロ基地局識別情報を28bitの識別情報に拡張し、拡張されたマクロ基地局識別情報をスモールセル識別情報に変換する。中間デバイスは、1つの識別子のアイドルフィールドを使用することによりマクロ基地局識別情報のビット幅を拡張することに限定されず、複数の他の識別子のアイドルフィールドを使用することによりマクロ基地局識別情報を拡張する場合がある。このことは本発明では限定されない。
【００５４】
場合によっては、中間デバイスにより、第1のS1メッセージを取得するステップは、
中間デバイスにより、コアネットワークデバイスによって送信された第1のS1メッセージを受信するステップ
を含む。
【００５５】
場合によっては、中間デバイスにより、第1のS1メッセージが中間デバイスによって管理されるスモールセルセット内のスモールセルに送信される必要があるかどうかを判定するステップは、
第1のS1メッセージのメッセージタイプを識別するステップと、
第1のS1メッセージのメッセージタイプがページングPAGINGメッセージ、発展型無線アクセスベアラセットアップ要求E−RAB SETUP REQUESTメッセージ、または初期コンテキストセットアップ要求INITIAL CONTEXT SETUP REQUESTメッセージのうちのいずれか1つを含むとき、中間デバイスにより、第1のS1メッセージに対応するユーザ機器UEがスモールセルセットに属するセル内に位置するかどうかを判定するステップと、
イエスである場合、中間デバイスにより、第1のS1メッセージがスモールセルセット内のスモールセルに送信される必要があると判定するステップと、
を含む。
【００５６】
第1のS1メッセージは、ページングPAGINGメッセージ、発展型無線アクセスベアラセットアップ要求E−RAB SETUP REQUESTメッセージ、または初期コンテキストセットアップ要求INITIAL CONTEXT SETUP REQUESTメッセージのうちのいずれか1つを含む。ページングメッセージは、スモールセルに属するセル内のUEにページングするために使用される。E−RABセットアップ要求メッセージは、UEとUEをサービスするスモールセルとの間の無線ベアラをセットアップするために使用される。初期コンテキストセットアップ要求メッセージは、スモールセルに属するセル内のUEの初期コンテキストをセットアップするために使用される。中間デバイスは、コアネットワークデバイスによって送信された、マクロ基地局識別情報およびセルグローバル識別情報を含む第1のS1メッセージを受信し、第1のS1メッセージに対応するUEがスモールセルセットによって管理されるセル内に位置するかどうかを判定し、スモールセルセットは中間デバイスによって管理される。判定方法は以下の通りである。UEがスモールセルセット内のスモールセル間をハンドオーバーされると、中間デバイスは、UEがごく最近位置していたセルのセルグローバル識別情報またはごく最近取得されたセル識別情報を記録し、第1のS1メッセージを受信した後、中間デバイスは、第1のS1メッセージ内のセルグローバル識別情報と記録されたセルグローバル識別情報とを比較して、UEがスモールセルセットに属するセル内に位置するかどうかを判定する。UEがスモールセルセットに属するセル内に位置する場合、中間デバイスは第1のS1メッセージをスモールセルに送信する必要があり、そうでない場合、中間デバイスは第1のS1メッセージをスモールセルに送信する必要がない。
【００５７】
場合によっては、中間デバイスにより、第1のS1メッセージが中間デバイスによって管理されるスモールセルセット内のスモールセルに送信される必要があるかどうかを判定するステップは、
中間デバイスにより、あらかじめ設定されたマッピング関係に従って、セルグローバル識別情報に関連付けられたスモールセル識別情報を照会し、スモールセル識別情報が見つかった場合、第1のS1メッセージがスモールセルセット内のスモールセルに送信される必要があると判定するステップ、または
スモールセル識別情報が見つからなかった場合、第1のS1メッセージがスモールセルセット内のスモールセルに送信される必要がないと判定するステップ
を含む。
【００５８】
具体的には、中間デバイスは、中間デバイスによって管理されるスモールセルをコアネットワークデバイスから隠蔽し、コアネットワークデバイスはスモールセルの存在を知らない。スモールセル識別情報とセルグローバル識別情報との間のマッピング関係は、中間デバイス上であらかじめ構成される。中間デバイスは、コアネットワークデバイスによって送信された、セルグローバル識別情報およびマクロ基地局識別情報を含む第1のS1メッセージを受信する。中間デバイスは、マッピング関係に従って、セルグローバル識別情報に対応するスモールセル識別情報が存在するかどうかを照会する。スモールセル識別情報が存在する場合、それは、セルグローバル識別情報に対応するセルがスモールセルによって管理され、したがって、第1のS1メッセージがスモールセルに送信される必要があることを示す。そうでない場合、中間デバイスは第1のS1メッセージを直接処理する。
【００５９】
場合によっては、スモールセルセットは最大2（y−x）個のスモールセルを含み、スモールセルセット内のスモールセルごとに最大2（z−y）個のセルが構成され、xはマクロ基地局識別情報のビット幅であり、yはスモールセル識別情報のビット幅であり、zはセルグローバル識別情報のビット幅であり、x＝20、y≧20、z≧y≧xであり、x、y、およびzはすべて整数である。
【００６０】
yおよびzの値はニーズに応じて構成される場合がある。たとえば、x＝20、y＝24、およびz＝28である。すなわち、マクロ基地局識別情報のビット幅は20ビットであり、スモールセル識別情報のビット幅は24ビットであり、スモールセル向けに構成された複数のセルのグローバル識別情報の幅は28ビットである。
【００６１】
たとえば、図1を参照すると、x＝20、y＝24、およびz＝28である。中間デバイス1のマクロ基地局識別情報は0x00200であり、マクロ基地局識別情報のビット幅は20ビットである。中間デバイス1によって管理されるスモールセル1のスモールセル識別情報は0x002000である。スモールセル識別情報内の最初の20ビットはマクロ基地局識別情報内のビットと同じであることが分かる。2つのセルはスモールセル1向けに構成され、それらのグローバルセル識別情報は0x0020000および0x0020001である。グローバルセル識別情報内の最初の24ビットは、スモールセル識別情報内のビットと同じである。
【００６２】
場合によっては、z＝28、y＜28であり、スモールセルごとに最大228―y個のセルが構成される。
【００６３】
スモールセル識別情報のビット幅は28bitよりも小さく、セルグローバル識別情報のビット幅は28bitである。この場合、複数のセルが1つのスモールセル向けに構成される場合があり、構成されるセルの最大数は、セルグローバル識別情報のビット幅とスモールセルのビット幅との間の差分に依存し、スモールセルごとに最大228―y個のセルが構成される。
【００６４】
図3を参照すると、図3は、本発明の一実施形態による、S1メッセージ伝送方法の概略フローチャート2である。本発明のこの実施形態では、方法は以下のステップを含む。
【００６５】
S301．中間デバイスがスモールセル識別情報を含む第1のS1メッセージを取得する。
【００６６】
具体的には、中間デバイスにより第1のS1メッセージを取得するための方法は、中間デバイスが中間デバイス上で生成された第1のS1メッセージを取得するか、または中間デバイスが中間デバイスによって管理されるスモールセルセット内のスモールセルによって送信された第1のS1メッセージを受信するか、または中間デバイスが別のネットワークデバイスによって送信された第1のS1メッセージを受信することである。スモールセル識別情報はスモールセルの識別情報を識別するために使用される。スモールセル識別情報のビット幅は20bitよりも大きい。
【００６７】
S302．中間デバイスが、第1のS1メッセージがコアネットワークデバイスに送信される必要があるかどうかを判定する。
【００６８】
具体的には、中間デバイスはスモールセルセットを管理する。スモールセルセットは複数のスモールセルを含む。中間デバイスにより、第1のS1メッセージがコアネットワークデバイスに送信される必要があるかどうかを判定するための方法は、第1のS1メッセージのメッセージタイプおよび宛先ネットワークデバイスに応じて、第1のS1メッセージがコアネットワークデバイスに送信される必要があるかどうかを判定することである。たとえば、第1のS1メッセージは、中間デバイスによって管理されるスモールセルセット内のスモールセルの構成プロセス、またはスモールセルに属するセル内のユーザ機器の構成に関連し、第1のS1メッセージは、コアネットワークデバイスに送信される必要がない。第1のS1メッセージがコアネットワークデバイスの構成プロセスに関連する場合、第1のS1メッセージは、コアネットワークデバイスに送信される必要がある。
【００６９】
S303．判定結果がイエスである場合、中間デバイスがスモールセル識別情報をマクロ基地局識別情報に変換し、マクロ基地局識別情報を含む第2のS1メッセージを生成する。
【００７０】
具体的には、マクロ基地局識別情報は中間デバイスの識別情報である。マクロ基地局識別情報のビット幅は20bitよりも小さい。中間デバイスは、スモールセル識別情報からあらかじめ設定された長さのビットを取り込むことにより、マクロ基地局識別情報を生成することができる。たとえば、スモールセル識別情報のビット幅が28bitであり、マクロ基地局識別情報のビット幅が20bitであり、スモールセル識別情報内の最初の20bitを取り込んだ後、中間デバイスはマクロ基地局識別情報を生成する。
【００７１】
S304．中間デバイスが、中間デバイスに関連付けられたコアネットワークデバイスに第2のS1メッセージを送信する。
【００７２】
具体的には、中間デバイスはコアネットワークデバイスに一意に関連付けられる。中間デバイスは、マクロ基地局識別情報を含む第2のS1メッセージをコアネットワークデバイスに送信する。コアネットワークデバイスは、第2のS1メッセージのメッセージタイプに応じて、対応するシグナリング手順を完了する。
【００７３】
場合によっては、中間デバイスにより、スモールセル識別情報をマクロ基地局識別情報に変換するステップは、
中間デバイスにより、スモールセル識別情報から、マクロ基地局識別情報としてあらかじめ設定された長さのビットを取り込むステップ
を含む。
【００７４】
場合によっては、中間デバイスにより、第1のS1メッセージがコアネットワークデバイスに送信される必要があるかどうかを判定するステップは、
スモールセルハンドオーバー手順を実施するプロセスにおいて、ソーススモールセルまたは宛先スモールセルのうちのただ1つが中間デバイスによって管理されるスモールセルセットに属する場合、
中間デバイスにより、スモールセルセットに属するスモールセルによってスモールセルハンドオーバー手順内で送信された第1のS1メッセージが、コアネットワークデバイスに送信される必要があると判定するステップであって、第1のS1メッセージが、ハンドオーバー必要HANDOVER REQUIREDメッセージ、ハンドオーバー要求承認HANDOVER REQUEST ACKNOWLEDGEメッセージ、またはハンドオーバー通知HANDOVER NOTIFYメッセージのうちのいずれか1つを含む、ステップ
を含む。
【００７５】
具体的には、UEは、ソーススモールセルと宛先スモールセルとの間のスモールセルハンドオーバー手順を実施し、ソーススモールセルまたは宛先スモールセルのうちのただ1つが中間デバイスによって管理されるスモールセルセットに属する。中間デバイスは、中間デバイスによって管理されるスモールセルセットに属するスモールセルによって送信された第1のS1メッセージを、コアネットワークデバイスに送信する必要がある。
【００７６】
たとえば、UEの移動プロセスにおいて信号強度があらかじめ設定された強度のしきい値よりも小さいことを発見すると、UEはソーススモールセルに測定報告を送信し、ソーススモールセルは、測定報告に従って、UEがハンドオーバーされる必要があるかどうかを判定する。UEがハンドオーバーされる必要がある場合、ソーススモールセルは、HANDOVER REQUIREDメッセージ（S1メッセージ）を中間デバイスに送信する。HANDOVER REQUIREDメッセージは、ソーススモールセルのスモールセル識別情報および宛先スモールセルのスモールセル識別情報を含む。ソーススモールセルのスモールセル識別情報および宛先スモールセルのスモールセル識別情報の両方のビット幅は20bitよりも大きい。HANDOVER REQUIREDメッセージを受信すると、中間デバイスは、HANDOVER REQUIREDメッセージによって示されたソーススモールセルと宛先スモールセルの両方が、中間デバイスによって管理されるスモールセルセットに属すると判断する。中間デバイスは、現在行われているスモールセルハンドオーバー手順をコアネットワークデバイスに通知する必要はない。中間デバイスは、ソーススモールセルおよび宛先スモールセルによって送信された第1のS1メッセージをコアネットワークデバイスに送信しない。中間デバイスはMMEの機能を実行し、スモールセルハンドオーバー手順を完了する。ソーススモールセルおよび宛先スモールセルが異なる中間デバイスによって管理されるスモールセルセットに属する場合、中間デバイスは、中間デバイスによって管理されるスモールセルセット内のスモールセルによってスモールセルハンドオーバー手順内に生成された第1のS1メッセージを、コアネットワークデバイスに送信する必要がある。
【００７７】
場合によっては、スモールセルセットは最大2（y−x）個のスモールセルを含み、スモールセルセット内のスモールセルごとに最大2（z−y）個のセルが構成され、xはマクロ基地局識別情報のビット幅であり、yはスモールセル識別情報のビット幅であり、zはセルグローバル識別情報のビット幅であり、x＝20、y≧20、z≧y≧xであり、x、y、およびzはすべて整数である。
【００７８】
yおよびzの値はニーズに応じて構成される場合がある。たとえば、x＝20、y＝24、およびz＝28である。すなわち、マクロ基地局識別情報のビット幅は20ビットであり、スモールセル識別情報のビット幅は24ビットであり、スモールセル向けに構成された複数のセルのグローバル識別情報の幅は28ビットである。
【００７９】
たとえば、図1を参照すると、x＝20、y＝24、およびz＝28である。中間デバイス1のマクロ基地局識別情報は0x00200であり、マクロ基地局識別情報のビット幅は20ビットである。中間デバイス1によって管理されるスモールセル1のスモールセル識別情報は0x002000である。スモールセル識別情報内の最初の20ビットはマクロ基地局識別情報内のビットと同じであることが分かる。2つのセルはスモールセル1向けに構成され、それらのグローバルセル識別情報は0x0020000および0x0020001である。グローバルセル識別情報内の最初の24ビットは、スモールセル識別情報内のビットと同じである。
【００８０】
場合によっては、z＝28、y＜28であり、スモールセルごとに最大228―y個のセルが構成される。
【００８１】
スモールセル識別情報のビット幅は28bitよりも小さく、セルグローバル識別情報のビット幅は28bitである。この場合、複数のセルが1つのスモールセル向けに構成される場合があり、構成されるセルの最大数は、セルグローバル識別情報のビット幅とスモールセルのビット幅との間の差分に依存し、スモールセルごとに最大228―y個のセルが構成される。
【００８２】
本発明のこの実施形態の実装中、中間デバイスは、アップストリーム方向に伝送されたS1メッセージに含まれるスモールセル識別情報をマクロ基地局識別情報に変換し、その結果、変換が実施された後に取得されたS1メッセージは、コアネットワークデバイスのフォーマット要件を満たす。このようにして、既存のコアネットワークデバイスを変更する必要はなく、アップグレードコストが削減される。
【００８３】
図4を参照すると、図4は、本発明の一実施形態による、S1メッセージ伝送方法の概略フローチャート3である。方法は、異なる中間デバイスによって管理される2つのスモールセルのハンドオーバープロセスに関し、以下のステップを含む。
【００８４】
S401．第1のスモールセルがUEに測定構成を送信する。
【００８５】
第1のスモールセルは、第1の中間デバイスに関連付けられたスモールセルセット内のスモールセルである。UEのサービング基地局は第1のスモールセルである。第1のスモールセルは、RRC Connection Reconfigurationを用いてUEに対して測定構成を実施することができる。
【００８６】
S402．UEが第1のスモールセルに測定報告を返信する。
【００８７】
測定報告の報告条件が満足されると、UEは第1のスモールセルに測定報告を返信する。たとえば、第1のスモールセルの信号強度があらかじめ設定された値よりも小さいことを検出すると、UEは第1のスモールセルに測定報告を返信する。
【００８８】
S403．第1のスモールセルが、第1の中間デバイスにHANDOVER REQUIREDメッセージを送信する。
【００８９】
HANDOVER REQUIREDメッセージはS1メッセージである。HANDOVER REQUIREDメッセージは、第1のスモールセルのスモールセル識別情報および第2のスモールセルのスモールセル識別情報を含む。
【００９０】
S404．第1の中間デバイスが、HANDOVER REQUIREDメッセージ内のスモールセル識別情報をマクロ基地局識別情報に変換する。
【００９１】
中間デバイスは、第1のスモールセルおよび第2のスモールセルが中間デバイスによって管理されるスモールセルセットに属さないと判断する。中間デバイスがHANDOVER REQUIREDメッセージ内のスモールセル識別情報を変換する必要があることは、具体的に、第1の中間デバイスがスモールセルと中間デバイスとの間のマッピング関係を保持し、第1の中間デバイスがHANDOVER REQUIREDメッセージ内の第1のスモールセルのスモールセル識別情報を第1の中間デバイスのマクロ基地局識別情報に変換し、HANDOVER REQUIREDメッセージ内の第2のスモールセルのスモールセル識別情報を第2の中間デバイスのマクロ基地局識別情報に変換することである。
【００９２】
S405．第1の中間デバイスが、コアネットワークデバイスにHANDOVER REQUIREDメッセージを送信する。
【００９３】
HANDOVER REQUIREDメッセージは、第1の中間デバイスのマクロ基地局識別情報および第2の中間デバイスのマクロ基地局識別情報を含む。
【００９４】
S406．コアネットワークデバイスが、第2の中間デバイスにHANDOVER REQUESTメッセージを返信する。
【００９５】
HANDOVER REQUESTメッセージは、第2の中間デバイスのマクロ基地局識別情報を含む。
【００９６】
S407．第2の中間デバイスが、HANDOVER REQUESTメッセージに含まれるマクロ基地局識別情報をスモールセル識別情報に変換する。
【００９７】
第2の中間デバイスは、HANDOVER REQUESTメッセージが第2の中間デバイスによって管理される第2のスモールセルに送信される必要があることを確認し、HANDOVER REQUESTメッセージに含まれる第2の中間デバイスのマクロ基地局識別情報が第2のスモールセルのスモールセル識別情報に変換される。第2のスモールセルのスモールセル識別情報は、HANDOVER REQUESTメッセージに含まれるセルグローバル識別情報に従って見出される。
【００９８】
S408．第2の中間デバイスが、第2のスモールセルにHANDOVER REQUESTメッセージを送信する。
【００９９】
第2の中間デバイスは、第2のスモールセルのスモールセル識別情報を含むHANDOVER REQUESTメッセージを第2のスモールセルに送信する。
【０１００】
S409．第2のスモールセルが、第2の中間デバイスにHANDOVER REQUEST ACKNOWLEDGEメッセージを返信し、HANDOVER REQUEST ACKNOWLEDGEメッセージは、第2のスモールセルのスモールセル識別情報を含む。
【０１０１】
S410．第2の中間デバイスが、HANDOVER REQUEST ACKNOWLEDGEメッセージに含まれるスモールセル識別情報をマクロ基地局識別情報に変換する。
【０１０２】
第2の中間デバイスは、HANDOVER REQUEST ACKNOWLEDGEメッセージに含まれる第2のスモールセルのスモールセル識別情報を、第2の中間デバイスのマクロ基地局識別情報に変換する。
【０１０３】
S411．第2の中間デバイスが、コアネットワークデバイスにHANDOVER REQUEST ACKNOWLEDGEメッセージを送信する。
【０１０４】
S412．コアネットワークデバイスが、第1の中間デバイスにHANDOVER COMMANDメッセージを送信する。
【０１０５】
S413．第1の中間デバイスが、HANDOVER COMMANDメッセージ内のマクロ基地局識別情報をスモールセル識別情報に変換する。
【０１０６】
第1の中間デバイスは、HANDOVER COMMANDメッセージに含まれるセルグローバル識別情報またはUE S1AP IDに従って、関連付けられたスモールセル識別情報を照会することができ、HANDOVER COMMANDメッセージに含まれるマクロ基地局識別情報をスモールセル識別情報に変換する。
【０１０７】
S414．第1の中間デバイスが、第1のスモールセルにHANDOVER COMMANDメッセージを返信する。
【０１０８】
S415．第1のスモールセルが、UEにHANDOVER COMMANDメッセージを返信する。
【０１０９】
第1のスモールセルと第2のスモールセルとの間でハンドオーバー手順が実施され、第1のスモールセルおよび第2のスモールセルが異なる中間デバイスによって管理されるスモールセルセットに属するとき、中間デバイスがハンドオーバープロセス内で生成されたS1メッセージをコアネットワークデバイスに送信することを、前述から知ることができる。
【０１１０】
図5を参照すると、図5は、本発明の一実施形態による、S1メッセージ伝送方法の概略フローチャートである。方法は、同じ中間デバイスによって管理される2つのスモールセルのハンドオーバープロセスに関する。方法は以下のステップを含む。
【０１１１】
S501．第1のスモールセルがUEに測定構成を送信する。
【０１１２】
第1のスモールセルはソース基地局である。第2のスモールセルはターゲット基地局である。UEのサービング基地局は第1のスモールセルである。第1のスモールセルはUEを監視し、RRC Connection Reconfigurationを用いてUEに対して測定構成を実施する。
【０１１３】
S502．UEが第1のスモールセルに測定報告を返信する。
【０１１４】
移動プロセスにおいて、UEは、第1のスモールセルの信号が弱くなるが、隣接する第2のスモールセルの信号が強くなることを発見する。UEは、測定報告を含むRRC Reconfiguration Completeメッセージを第1のスモールセルに送信する。
【０１１５】
S503．第1のスモールセルが、中間デバイスにHANDOVER REQUIREDメッセージを送信する。
【０１１６】
第1のスモールセルは、UEによって送信された測定報告を受信し、ハンドオーバー条件が満足されるかどうか、たとえば、現在の伝送リソースがUEのハンドオーバー要件を満たすかどうかを判定する。現在の伝送リソースがUEのハンドオーバー要件を満たす場合、第1のスモールセルはHANDOVER REQUIREDメッセージを中間デバイスに送信する。HANDOVER REQUIREDメッセージは、第1のスモールセルのスモールセル識別情報および第2のスモールセルのスモールセル識別情報を含む。
【０１１７】
S504．第2のスモールセルへのハンドオーバーが必要であることを中間デバイスが確認する。
【０１１８】
中間デバイスは、第1のスモールセルと第2のスモールセルの両方が中間デバイスによって管理されるスモールセルであり、コアネットワークデバイスにハンドオーバー必要メッセージを送信する必要がないことを見出す。中間デバイスは、第2のスモールセルにHANDOVER REQUESTメッセージを送信する。
【０１１９】
S506．第2のスモールセルが、中間デバイスにHANDOVER REQUEST ACKNOWLEDGEメッセージを返信する。
【０１２０】
HANDOVER REQUESTメッセージを受信した後、第2のスモールセルはハンドオーバー条件が満足されるかどうかを判定する。ハンドオーバー条件が満足される場合、第2のスモールセルは、中間デバイスにHANDOVER REQUEST ACKNOWLEDGEメッセージを返信する。ハンドオーバー条件が満足されない場合、第2のスモールセルは、第1のスモールセルにHANDOVER REQUEST FAILUREメッセージを返信する。
【０１２１】
S507．中間デバイスが、第1のスモールセルにHANDOVER COMMANDメッセージを送信する。
【０１２２】
中間デバイスは、第2のスモールセルによって送信されたHANDOVER REQUEST ACKNOWLEDGEメッセージを受信し、第1のスモールセルにHANDOVER COMMANDメッセージを送信する。
【０１２３】
S508．第1のスモールセルが、UEにHANDOVER COMMANDメッセージを送信する。
【０１２４】
第1のスモールセルと第2のスモールセルとの間でハンドオーバー手順が実施され、第1のスモールセルおよび第2のスモールセルが中間デバイスによって管理されるスモールセルセットに属するとき、中間デバイスがコアネットワークデバイスからハンドオーバー手順を隠蔽し、ハンドオーバープロセス内で生成されたS1メッセージをコアネットワークデバイスに送信しないことを、前述から知ることができる。中間デバイスは、コアネットワークデバイスの機能を実装し、中間デバイス内部でスモールセルハンドオーバー手順を完了する。
【０１２５】
図6を参照すると、図6は、本発明の一実施形態による、中間デバイスの概略構造図1である。本発明のこの実施形態では、中間デバイスは、図2のS1メッセージ伝送方法を実装するように構成される。中間デバイスは、取得モジュール601と、第1の判定モジュール602と、変換モジュール603と、送信モジュール604とを含む。
【０１２６】
取得モジュール601は、第1のS1メッセージを取得するように構成される。第1のS1メッセージは、マクロ基地局識別情報およびセルグローバル識別情報を含み、マクロ基地局識別情報は中間デバイスの識別情報である。
【０１２７】
判定モジュール602は、取得モジュールによって取得された第1のS1メッセージが、中間デバイスによって管理されるスモールセルセット内のスモールセルに送信される必要があるかどうかを判定するように構成される。
【０１２８】
変換モジュール603は、判定モジュールの判定結果がイエスである場合、セルグローバル識別情報に対応するスモールセル識別情報を取得し、マクロ基地局識別情報をスモールセル識別情報に変換し、第2のS1メッセージを生成するように構成され、第2のS1メッセージはスモールセル識別情報を含む。
【０１２９】
送信モジュール604は、変換モジュールによって生成された第2のS1メッセージを、スモールセル識別情報に対応するスモールセルに送信するように構成される。
【０１３０】
場合によっては、変換モジュール603は、
カスタムフィールドを拡張することにより、マクロ基地局識別情報をスモールセル識別情報に変換すること
を行うように構成される。
【０１３１】
場合によっては、変換モジュール603は、
マクロ基地局識別情報のフィールドおよびマクロ基地局識別情報以外の識別情報のアイドルフィールドに従って、マクロ基地局識別情報をスモールセル識別情報に変換すること
を行うように構成される。
【０１３２】
場合によっては、取得モジュール601は、
コアネットワークデバイスによって送信された第1のS1メッセージを受信すること
を行うように構成される。
【０１３３】
場合によっては、判定モジュール602は、
第1のS1メッセージのメッセージタイプを識別することと、
第1のS1メッセージのメッセージタイプがページングPAGINGメッセージ、発展型無線アクセスベアラセットアップ要求E−RAB SETUP REQUESTメッセージ、または初期コンテキストセットアップ要求INITIAL CONTEXT SETUP REQUESTメッセージのうちのいずれか1つを含むとき、第1のS1メッセージに対応するユーザ機器UEがスモールセルセットに属するセル内に位置するかどうかを判定することと、
イエスである場合、第1のS1メッセージがスモールセルセット内のスモールセルに送信される必要があると判定することと
を行うように構成される。
【０１３４】
場合によっては、スモールセルセットは最大2（y−x）個のスモールセルを含み、スモールセルセット内のスモールセルごとに最大2（z−y）個のセルが構成され、xはマクロ基地局識別情報のビット幅であり、yはスモールセル識別情報のビット幅であり、zはセルグローバル識別情報のビット幅であり、x＝20、y≧20、z≧y≧xであり、x、y、およびzはすべて整数である。
【０１３５】
場合によっては、z＝28、y＜28であり、スモールセルごとに最大228―y個のセルが構成される。
【０１３６】
図7を参照すると、図7は、本発明の一実施形態による、中間デバイスの概略構造図2である。本発明のこの実施形態では、中間デバイスは、図3のS1メッセージ伝送方法を実装するように構成される。中間デバイスは、取得モジュール701と、第1の判定モジュール702と、変換モジュール703と、送信モジュール704とを含む。
【０１３７】
取得モジュール701は第1のS1メッセージを取得するように構成され、第1のS1メッセージはスモールセル識別情報を含む。
【０１３８】
判定モジュール702は、取得モジュールによって取得された第1のS1メッセージが、コアネットワークデバイスに送信される必要があるかどうかを判定するように構成される。
【０１３９】
変換モジュール703は、判定モジュールの判定結果がイエスである場合、スモールセル識別情報をマクロ基地局識別情報に変換し、第2のS1メッセージを生成するように構成され、第2のS1メッセージはマクロ基地局識別情報を含み、マクロ基地局識別情報は中間デバイスの識別情報である。
【０１４０】
送信モジュール704は、変換モジュールによって生成された第2のS1メッセージを、中間デバイスに関連付けられたコアネットワークデバイスに送信するように構成される。
【０１４１】
場合によっては、変換モジュール703は、
スモールセル識別情報から、マクロ基地局識別情報としてあらかじめ設定された長さのビットを取り込むこと
を行うように構成される。
【０１４２】
場合によっては、判定モジュール702は、
スモールセルハンドオーバー手順を実施するプロセスにおいて、ソーススモールセルまたは宛先スモールセルのうちのただ1つが中間デバイスによって管理されるスモールセルセットに属する場合、
スモールセルセットに属するスモールセルによってスモールセルハンドオーバー手順内で送信された第1のS1メッセージが、コアネットワークデバイスに送信される必要があると判定することであって、第1のS1メッセージが、ハンドオーバー必要HANDOVER REQUIREDメッセージ、ハンドオーバー要求承認HANDOVER REQUEST ACKNOWLEDGEメッセージ、またはハンドオーバー通知HANDOVER NOTIFYメッセージのうちのいずれか1つを含む、判定すること
を行うように構成される。
【０１４３】
場合によっては、スモールセルセットは最大2（y−x）個のスモールセルを含み、スモールセルセット内のスモールセルごとに最大2（z−y）個のセルが構成され、xはマクロ基地局識別情報のビット幅であり、yはスモールセル識別情報のビット幅であり、zはセルグローバル識別情報のビット幅であり、x＝20、y≧20、z≧y≧xであり、x、y、およびzはすべて整数である。
【０１４４】
場合によっては、z＝28、y＜28であり、スモールセルごとに最大228―y個のセルが構成される。
【０１４５】
本発明のこの実施形態および図2の方法実施形態は同じ構想に基づく。本発明のこの実施形態によってもたらされる技術的効果も、図2の方法実施形態によってもたらされる技術的効果と同じである。特定のプロセスについては、図2の方法実施形態1の説明を参照されたい。詳細はこれ以上本明細書では繰り返されない。
【０１４６】
図8を参照すると、図8は、本発明の一実施形態による、中間デバイスの別の概略構造図3である。本発明のこの実施形態では、中間デバイス8は、プロセッサ801と、メモリ802と、トランシーバ803とを含む。トランシーバ803は、外部デバイスとの間でデータを送受信するように構成される。中間デバイス8には、1つまたは複数のプロセッサ801が存在する場合がある。本発明のいくつかの実施形態では、プロセッサ801、メモリ802、およびトランシーバ803は、バスシステムを使用することにより、または別の方式で接続される場合がある。中間デバイス8は、図2に示された方法を実行するように構成される場合がある。この実施形態における用語の意味および例については、図2に対応する実施形態を参照されたい。詳細はこれ以上本明細書では繰り返されない。
【０１４７】
メモリ802はプログラムコードを記憶する。プロセッサ801は、以下の動作：
第1のS1メッセージを取得することであって、第1のS1メッセージがマクロ基地局識別情報およびセルグローバル識別情報を含み、マクロ基地局識別情報が中間デバイスの識別情報である、取得することと、
第1のS1メッセージが中間デバイスによって管理されるスモールセルセット内のスモールセルに送信される必要があるかどうかを判定することと、
イエスである場合、セルグローバル識別情報に対応するスモールセル識別情報を取得し、マクロ基地局識別情報をスモールセル識別情報に変換し、第2のS1メッセージを生成することであって、第2のS1メッセージがスモールセル識別情報を含む、生成することと、
スモールセル識別情報に対応するスモールセルに第2のS1メッセージを送信することと
を実施するために、メモリ802に記憶されたプログラムコードを起動するように構成される。
【０１４８】
本発明のいくつかの実施形態では、プロセッサ801により、マクロ基地局識別情報をスモールセル識別情報に変換することは、
カスタムフィールドを拡張することにより、マクロ基地局識別情報をスモールセル識別情報に変換すること
を含む。
【０１４９】
本発明のいくつかの実施形態では、プロセッサ801により、マクロ基地局識別情報をスモールセル識別情報に変換することは、
マクロ基地局識別情報のフィールドおよびマクロ基地局識別情報以外の識別情報のアイドルフィールドに従って、マクロ基地局識別情報をスモールセル識別情報に変換すること
を含む。
【０１５０】
本発明のいくつかの実施形態では、プロセッサ801により、第1のS1メッセージを取得することは、
コアネットワークデバイスによって送信された第1のS1メッセージを受信すること
を含む。
【０１５１】
本発明のいくつかの実施形態では、プロセッサ801により、第1のS1メッセージが中間デバイスによって管理されるスモールセルセット内のスモールセルに送信される必要があるかどうかを判定することは、
第1のS1メッセージのメッセージタイプを識別することと、
第1のS1メッセージのメッセージタイプがページングPAGINGメッセージ、発展型無線アクセスベアラセットアップ要求E−RAB SETUP REQUESTメッセージ、または初期コンテキストセットアップ要求INITIAL CONTEXT SETUP REQUESTメッセージのうちのいずれか1つを含むとき、第1のS1メッセージに対応するユーザ機器UEがスモールセルセットに属するセル内に位置するかどうかを判定することと、
イエスである場合、第1のS1メッセージがスモールセルセット内のスモールセルに送信される必要があると判定することと、
を含む。
【０１５２】
本発明のいくつかの実施形態では、スモールセルセットは最大2（y−x）個のスモールセルを含み、スモールセルセット内のスモールセルごとに最大2（z−y）個のセルが構成され、xはマクロ基地局識別情報のビット幅であり、yはスモールセル識別情報のビット幅であり、zはセルグローバル識別情報のビット幅であり、x＝20、y≧20、z≧y≧xであり、x、y、およびzはすべて整数である。
【０１５３】
本発明のいくつかの実施形態では、z＝28、y＜28であり、スモールセルごとに最大228―y個のセルが構成される。
【０１５４】
図9を参照すると、図9は、本発明の一実施形態による、中間デバイスの概略構造図4である。本発明のこの実施形態では、中間デバイス9は、プロセッサ901と、メモリ902と、トランシーバ903とを含む。トランシーバ903は、外部デバイスとの間でデータを送受信するように構成される。中間デバイス9には、1つまたは複数のプロセッサ901が存在する場合がある。本発明のいくつかの実施形態では、プロセッサ901、メモリ902、およびトランシーバ903は、バスシステムを使用することにより、または別の方式で接続される場合がある。中間デバイス9は、図3に示された方法を実行するように構成される場合がある。この実施形態における用語の意味および例については、図3に対応する実施形態を参照されたい。詳細はこれ以上本明細書では繰り返されない。
【０１５５】
メモリ902はプログラムコードを記憶する。プロセッサ901は、以下の動作：
第1のS1メッセージを取得することであって、第1のS1メッセージがスモールセル識別情報を含む、取得することと、
第1のS1メッセージがコアネットワークデバイスに送信される必要があるかどうかを判定することと、
イエスである場合、スモールセル識別情報をマクロ基地局識別情報に変換し、第2のS1メッセージを生成することであって、第2のS1メッセージがマクロ基地局識別情報を含み、マクロ基地局識別情報が中間デバイスの識別情報である、生成することと、
中間デバイスに関連付けられたコアネットワークデバイスに第2のS1メッセージを送信することと
を実施するために、メモリ902に記憶されたプログラムコードを起動するように構成される。
【０１５６】
本発明のいくつかの実施形態では、プロセッサ901により、スモールセル識別情報をマクロ基地局識別情報に変換することは、
スモールセル識別情報から、マクロ基地局識別情報としてあらかじめ設定された長さのビットを取り込むこと
を含む。
【０１５７】
本発明のいくつかの実施形態では、プロセッサ901により、第1のS1メッセージがコアネットワークデバイスに送信される必要があるかどうかを判定することは、
スモールセルハンドオーバー手順を実施するプロセスにおいて、ソーススモールセルまたは宛先スモールセルのうちのただ1つが中間デバイスによって管理されるスモールセルセットに属する場合、
スモールセルセットに属するスモールセルによってスモールセルハンドオーバー手順内で送信された第1のS1メッセージが、コアネットワークデバイスに送信される必要があると判定することであって、第1のS1メッセージが、ハンドオーバー必要HANDOVER REQUIREDメッセージ、ハンドオーバー要求承認HANDOVER REQUEST ACKNOWLEDGEメッセージ、またはハンドオーバー通知HANDOVER NOTIFYメッセージのうちのいずれか1つを含む、判定すること
を含む。
【０１５８】
本発明のいくつかの実施形態では、スモールセルセットは最大2（y−x）個のスモールセルを含み、スモールセルセット内のスモールセルごとに最大2（z−y）個のセルが構成され、xはマクロ基地局識別情報のビット幅であり、yはスモールセル識別情報のビット幅であり、zはセルグローバル識別情報のビット幅であり、x＝20、y≧20、z≧y≧xであり、x、y、およびzはすべて整数である。
【０１５９】
本発明のいくつかの実施形態では、z＝28、y＜28であり、スモールセルごとに最大228―y個のセルが構成される。
【０１６０】
実施形態における方法の手順のうちのすべてまたはいくつかは、関連するハードウェアに命令するコンピュータプログラムによって実装される場合があることを、当業者なら理解されよう。プログラムは、コンピュータ可読記憶媒体に記憶される場合がある。プログラムが動作すると、実施形態における方法の手順が実施される。前述の記憶媒体には、磁気ディスク、光ディスク、読取り専用メモリ（Read−Only Memory、ROM）、ランダムアクセスメモリ（Random Access Memory、RAM）などが含まれる場合がある。
【０１６１】
上述された説明は、本発明の実施形態の例にすぎず、当然、本発明の保護範囲を限定するものではない。前述の実施形態を実装する手順のうちのすべてまたはいくつか、および本発明の特許請求の範囲に従って行われる均等な修正は本発明の範囲内に入ることを、当業者なら理解されよう。
【符号の説明】
【０１６２】
8,9  中間デバイス
601,701  取得モジュール
602,702  判定モジュール
603,703  変換モジュール
604,704  送信モジュール
801,901  プロセッサ
802,902  メモリ
803,903  トランシーバ
【図１】
2018534801.tif 000003
【図２】
2018534801.tif 000004
【図３】
2018534801.tif 000005
【図４】
2018534801.tif 000006
【図５】
2018534801.tif 000007
【図６】
2018534801.tif 000008
【図７】
2018534801.tif 000009
【図８】
2018534801.tif 000010
【図９】
2018534801.tif 000011
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
S1メッセージ伝送方法であって、
中間デバイスにより、第1のS1メッセージを取得するステップであって、前記第1のS1メッセージがマクロ基地局識別情報およびセルグローバル識別情報を備え、前記マクロ基地局識別情報が前記中間デバイスの識別情報である、ステップと、
前記中間デバイスにより、前記第1のS1メッセージが前記中間デバイスによって管理されるスモールセルセット内のスモールセルに送信される必要があるかどうかを判定するステップと、
前記第1のS1メッセージが前記中間デバイスによって管理されるスモールセルセット内のスモールセルに送信される必要がある場合、前記中間デバイスにより、前記セルグローバル識別情報に対応するスモールセル識別情報を取得し、前記マクロ基地局識別情報を前記スモールセル識別情報に変換し、第2のS1メッセージを生成するステップであって、前記第2のS1メッセージが前記スモールセル識別情報を備える、ステップと、
前記中間デバイスにより、前記スモールセル識別情報に対応するスモールセルに前記第2のS1メッセージを送信するステップと
を備える、方法。
【請求項２】
前記マクロ基地局識別情報を前記スモールセル識別情報に変換する前記ステップが、
カスタムフィールドを拡張することにより、前記マクロ基地局識別情報を前記スモールセル識別情報に変換するステップ
を備える、請求項1に記載の方法。
【請求項３】
前記マクロ基地局識別情報を前記スモールセル識別情報に変換する前記ステップが、
前記マクロ基地局識別情報のフィールドおよび前記マクロ基地局識別情報以外の識別情報のアイドルフィールドに従って、前記マクロ基地局識別情報を前記スモールセル識別情報に変換するステップ
を備える、請求項1に記載の方法。
【請求項４】
中間デバイスにより、第1のS1メッセージを取得する前記ステップが、
前記中間デバイスにより、コアネットワークデバイスによって送信された第1のS1メッセージを受信するステップ
を備える、請求項1から3のいずれか一項に記載の方法。
【請求項５】
前記中間デバイスにより、前記第1のS1メッセージが前記中間デバイスによって管理されるスモールセルセット内のスモールセルに送信される必要があるかどうかを判定する前記ステップが、
前記第1のS1メッセージのメッセージタイプを識別するステップと、
前記第1のS1メッセージの前記メッセージタイプがページングメッセージ、発展型無線アクセスベアラセットアップ要求メッセージ、または初期コンテキストセットアップ要求メッセージのうちのいずれか1つを備えるとき、前記中間デバイスにより、前記第1のS1メッセージに対応するユーザ機器(UE)が前記スモールセルセットに属するセル内に位置するかどうかを判定するステップと、
前記第1のS1メッセージに対応するUEが前記スモールセルセットに属するセル内に位置する場合、前記中間デバイスにより、前記第1のS1メッセージが前記スモールセルセット内の前記スモールセルに送信される必要があると判定するステップと、
を備える、請求項1から4のいずれか一項に記載の方法。
【請求項６】
S1メッセージ伝送方法であって、
中間デバイスにより、第1のS1メッセージを取得するステップであって、前記第1のS1メッセージがスモールセル識別情報を備える、ステップと、
前記中間デバイスにより、前記第1のS1メッセージがコアネットワークデバイスに送信される必要があるかどうかを判定するステップと、
前記第1のS1メッセージがコアネットワークデバイスに送信される必要がある場合、前記中間デバイスにより、前記スモールセル識別情報をマクロ基地局識別情報に変換し、第2のS1メッセージを生成するステップであって、前記第2のS1メッセージが前記マクロ基地局識別情報を備え、前記マクロ基地局識別情報が前記中間デバイスの識別情報である、ステップと、
前記中間デバイスにより、前記中間デバイスに関連付けられた前記コアネットワークデバイスに前記第2のS1メッセージを送信するステップと
を備える、方法。
【請求項７】
前記中間デバイスにより、前記スモールセル識別情報をマクロ基地局識別情報に変換する前記ステップが、
前記中間デバイスにより、前記スモールセル識別情報から、前記マクロ基地局識別情報としてあらかじめ設定された長さのビットを取り込むステップ
を備える、請求項6に記載の方法。
【請求項８】
前記中間デバイスにより、前記第1のS1メッセージがコアネットワークデバイスに送信される必要があるかどうかを判定する前記ステップが、
スモールセルハンドオーバー手順を実施するプロセスにおいて、ソーススモールセルまたは宛先スモールセルのうちのただ1つが前記中間デバイスによって管理されるスモールセルセットに属する場合、
前記中間デバイスにより、前記スモールセルセットに属するスモールセルによって前記スモールセルハンドオーバー手順内で送信された第1のS1メッセージが、前記コアネットワークデバイスに送信される必要があると判定するステップであって、前記第1のS1メッセージが、ハンドオーバー必要HANDOVER REQUIREDメッセージ、ハンドオーバー要求承認HANDOVER REQUEST ACKNOWLEDGEメッセージ、またはハンドオーバー通知HANDOVER NOTIFYメッセージのうちのいずれか1つを備える、ステップ
を備える、請求項6または7に記載の方法。
【請求項９】
前記スモールセルセットが最大2（y−x）個のスモールセルを備え、前記スモールセルセット内のスモールセルごとに最大2（z−y）個のセルが構成され、xが前記マクロ基地局識別情報のビット幅であり、yが前記スモールセル識別情報のビット幅であり、zが前記セルグローバル識別情報のビット幅であり、x＝20、y≧20、z≧y≧xであり、x、y、およびzがすべて整数である、
請求項1から8のいずれか一項に記載の方法。
【請求項１０】
z＝28、y＜28であり、スモールセルごとに最大228−y個のセルが構成される、請求項9に記載の方法。
【請求項１１】
中間デバイスであって、
第1のS1メッセージを取得するように構成された取得モジュールであって、前記第1のS1メッセージがマクロ基地局識別情報およびセルグローバル識別情報を備え、前記マクロ基地局識別情報が前記中間デバイスの識別情報である、取得モジュールと、
前記取得モジュールによって取得された前記第1のS1メッセージが、前記中間デバイスによって管理されるスモールセルセット内のスモールセルに送信される必要があるかどうかを判定するように構成された判定モジュールと、
前記判定モジュールの判定結果がイエスである場合、前記セルグローバル識別情報に対応するスモールセル識別情報を取得し、前記マクロ基地局識別情報を前記スモールセル識別情報に変換し、第2のS1メッセージを生成するように構成された変換モジュールであって、前記第2のS1メッセージが前記スモールセル識別情報を備える、変換モジュールと、
前記スモールセル識別情報に対応するスモールセルに、前記変換モジュールによって生成された前記第2のS1メッセージを送信するように構成された送信モジュールと
を備える、中間デバイス。
【請求項１２】
前記変換モジュールが、
カスタムフィールドを拡張することにより、前記マクロ基地局識別情報を前記スモールセル識別情報に変換すること
を行うように構成される、請求項11に記載の中間デバイス。
【請求項１３】
前記変換モジュールが、
前記マクロ基地局識別情報のフィールドおよび前記マクロ基地局識別情報以外の識別情報のアイドルフィールドに従って、前記マクロ基地局識別情報を前記スモールセル識別情報に変換すること
を行うように構成される、請求項11に記載の中間デバイス。
【請求項１４】
前記取得モジュールが、
コアネットワークデバイスによって送信された第1のS1メッセージを受信すること
を行うように構成される、請求項11から13のいずれか一項に記載の中間デバイス。
【請求項１５】
前記判定モジュールが、
前記第1のS1メッセージのメッセージタイプを識別することと、
前記第1のS1メッセージの前記メッセージタイプがページングメッセージ、発展型無線アクセスベアラセットアップ要求メッセージ、または初期コンテキストセットアップ要求メッセージのうちのいずれか1つを備えるとき、前記第1のS1メッセージに対応するユーザ機器(UE)が前記スモールセルセットに属するセル内に位置するかどうかを判定することと、
前記第1のS1メッセージに対応するUEが前記スモールセルセットに属するセル内に位置する場合、前記第1のS1メッセージが前記スモールセルセット内の前記スモールセルに送信される必要があると判定することと
を行うように構成される、請求項11から14のいずれか一項に記載の中間デバイス。
【請求項１６】
中間デバイスであって、
第1のS1メッセージを取得するように構成された取得モジュールであって、前記第1のS1メッセージがスモールセル識別情報を備える、取得モジュールと、
前記取得モジュールによって取得された前記第1のS1メッセージが、コアネットワークデバイスに送信される必要があるかどうかを判定するように構成された判定モジュールと、
前記判定モジュールの判定結果がイエスである場合、前記スモールセル識別情報をマクロ基地局識別情報に変換し、第2のS1メッセージを生成するように構成された変換モジュールであって、前記第2のS1メッセージが前記マクロ基地局識別情報を備え、前記マクロ基地局識別情報が前記中間デバイスの識別情報である、変換モジュールと、
前記中間デバイスに関連付けられた前記コアネットワークデバイスに、前記変換モジュールによって生成された前記第2のS1メッセージを送信するように構成された送信モジュールと
を備える、中間デバイス。
【請求項１７】
前記変換モジュールが、
前記スモールセル識別情報から、前記マクロ基地局識別情報としてあらかじめ設定された長さのビットを取り込むこと
を行うように構成される、請求項16に記載の中間デバイス。
【請求項１８】
前記判定モジュールが、
スモールセルハンドオーバー手順を実施するプロセスにおいて、ソーススモールセルまたは宛先スモールセルのうちのただ1つが前記中間デバイスによって管理されるスモールセルセットに属する場合、
前記スモールセルセットに属するスモールセルによって前記スモールセルハンドオーバー手順内で送信された第1のS1メッセージが、前記コアネットワークデバイスに送信される必要があると判定することであって、前記第1のS1メッセージが、ハンドオーバー必要HANDOVER REQUIREDメッセージ、ハンドオーバー要求承認HANDOVER REQUEST ACKNOWLEDGEメッセージ、またはハンドオーバー通知HANDOVER NOTIFYメッセージのうちのいずれか1つを備える、判定すること
を行うように構成される、請求項16または17に記載の中間デバイス。
【請求項１９】
前記スモールセルセットが最大2（y−x）個のスモールセルを備え、前記スモールセルセット内のスモールセルごとに最大2（z−y）個のセルが構成され、xが前記マクロ基地局識別情報のビット幅であり、yが前記スモールセル識別情報のビット幅であり、zが前記セルグローバル識別情報のビット幅であり、x＝20、y≧20、z≧y≧xであり、x、y、およびzがすべて整数である、
請求項11から18のいずれか一項に記載の中間デバイス。
【請求項２０】
z＝28、y＜28であり、スモールセルごとに最大228−y個のセルが構成される、請求項19に記載の中間デバイス。
【請求項２１】
1つまたは複数のプロセッサと、メモリと、バスシステムと、トランシーバと、1つまたは複数のプログラムと
を備える中間デバイスであって、前記1つまたは複数のプロセッサ、前記メモリ、および前記トランシーバが、前記バスシステムを使用することによって接続され、
前記1つまたは複数のプログラムが前記メモリに記憶され、前記1つまたは複数のプログラムが命令を備え、前記中間デバイスによって実行されると、前記命令が、請求項1から10のいずれか一項に記載の方法を前記中間デバイスが実行することを可能にする、
中間デバイス。
【請求項２２】
1つまたは複数のプログラムを記憶するコンピュータ可読記憶媒体であって、前記1つまたは複数のプログラムが命令を備え、中間デバイスによって実行されると、前記命令が、請求項1から10のいずれか一項に記載の方法を前記中間デバイスが実行することを可能にする、コンピュータ可読記憶媒体。
【請求項２３】
コンピュータに請求項1から10のいずれか一項に記載の方法を実行させるプログラム。
【手続補正２】
【補正対象書類名】明細書
【補正対象項目名】０００３
【補正方法】変更
【補正の内容】
【０００３】
対象プロトコルは、各HeNB（Home evolved NodeB、ホーム発展型ノードB、略してHeNB）がただ1つのセルをサポートし、普通のセルが行うのと同じ方法でそのセルが識別されることを規定する。加えて、デバイスタイプを迅速に区別するために、HeNBは、マクロ基地局とは異なる基地局識別情報を有する。マクロ基地局の基地局識別情報は20ビットのビット幅を有し、HeNBの基地局識別情報は28ビットのビット幅を有し、HeNBの基地局識別情報のビット幅は、HeNBによってサービスされるセルのセル識別情報のビット幅と同じである。LTE Small Cellが大規模に展開されるにつれて、現在、事業者のスモールセルの数は100万に達している。20ビットの基地局アドレス空間はもはや十分ではない。不十分な基地局アドレス空間の問題を解決するために、3GPP（3rd Generation Partnership Project、第3世代パートナーシッププロジェクト、略して3GPP）は、HeNBの基地局識別情報のビット幅を28bitに増やした。
【手続補正３】
【補正対象書類名】明細書
【補正対象項目名】０００５
【補正方法】変更
【補正の内容】
【０００５】
本発明の実施形態は、20bitを超える基地局識別情報がサポートされる必要があるときに高いアップグレードコストがもたらされる従来の問題を解決するために、S1メッセージ伝送方法および中間デバイスを提供する。
【手続補正４】
【補正対象書類名】明細書
【補正対象項目名】００１０
【補正方法】変更
【補正の内容】
【００１０】
第1の態様から第1の態様の第3の可能な実装形態のうちのいずれか1つを参照して、第4の可能な実装形態では、中間デバイスにより、第1のS1メッセージが中間デバイスによって管理されるスモールセルセット内のスモールセルに送信される必要があるかどうかを判定するステップは、
第1のS1メッセージのメッセージタイプを識別するステップと、
第1のS1メッセージのメッセージタイプがページングメッセージ、発展型無線アクセスベアラセットアップ要求メッセージ、または初期コンテキストセットアップ要求メッセージのうちのいずれか1つを含むとき、中間デバイスにより、第1のS1メッセージに対応するユーザ機器UEがスモールセルセットに属するセル内に位置するかどうかを判定するステップと、
イエスである場合、中間デバイスにより、第1のS1メッセージがスモールセルセット内のスモールセルに送信される必要があると判定するステップと、
ノーである場合、中間デバイスにより、第1のS1メッセージがスモールセルセット内のスモールセルに送信される必要がないと判定するステップと
を含む。
【手続補正５】
【補正対象書類名】明細書
【補正対象項目名】００１２
【補正方法】変更
【補正の内容】
【００１２】
本発明の実施形態の第2の態様は、
中間デバイスにより、第1のS1メッセージを取得するステップであって、第1のS1メッセージがスモールセル識別情報を含む、ステップと、
中間デバイスにより、第1のS1メッセージがコアネットワークデバイスに送信される必要があるかどうかを判定するステップと、
イエスである場合、中間デバイスにより、スモールセル識別情報をマクロ基地局識別情報に変換し、第2のS1メッセージを生成するステップであって、第2のS1メッセージがマクロ基地局識別情報を含み、マクロ基地局識別情報が中間デバイスの識別情報である、ステップと、
中間デバイスにより、中間デバイスに関連付けられたコアネットワークデバイスに第2のS1メッセージを送信するステップと
を含む、S1メッセージ伝送方法を提供する。
【手続補正６】
【補正対象書類名】明細書
【補正対象項目名】００２１
【補正方法】変更
【補正の内容】
【００２１】
第3の態様から第3の態様の第4の可能な実装形態のうちのいずれか1つを参照して、第5の可能な実装形態では、取得モジュールは、
第1のS1メッセージのメッセージタイプを識別することと、
第1のS1メッセージのメッセージタイプがページングメッセージ、発展型無線アクセスベアラセットアップ要求メッセージ、または初期コンテキストセットアップ要求メッセージのうちのいずれか1つを含むとき、第1のS1メッセージに対応するユーザ機器UEがスモールセルセットに属するセル内に位置するかどうかを判定することと、
イエスである場合、第1のS1メッセージがスモールセルセット内のスモールセルに送信される必要があると判定することと
を行うように構成される。
【手続補正７】
【補正対象書類名】明細書
【補正対象項目名】００２８
【補正方法】変更
【補正の内容】
【００２８】
本発明の実施形態の第6の態様は、1つまたは複数のプログラムを記憶するコンピュータ可読記憶媒体を提供し、1つまたは複数のプログラムは命令を含み、中間デバイスによって実行されると、命令は、第1の態様から第1の態様の第3の可能な実装形態、または第2の態様から第2の態様の第2の可能な実装形態のうちのいずれか1つによる方法を中間デバイスが実行することを可能にする。
【手続補正８】
【補正対象書類名】明細書
【補正対象項目名】００３７
【補正方法】変更
【補正の内容】
【００３７】
たとえば、第1のS1メッセージはコアネットワークデバイスからである。コアネットワークデバイスは、マクロ基地局識別情報およびセルグローバル識別情報を含む第1のS1メッセージを中間デバイスに送信する。マクロ基地局識別情報は中間デバイスの識別情報である。マクロ基地局識別情報のビット幅は20bit以下である。セルグローバル識別情報は、グローバルな範囲内で、スモールセル向けに構成されたセルの識別情報を一意に表すために使用される。セルグローバル識別情報のビット幅は20bitよりも大きく、通常28bitである。セルグローバル識別情報に加えて、スモールセル向けに構成されたセルは、セルID、物理セル識別子(PCI)、またはUE S1AP IDによって識別される場合があることに留意されたい。中間デバイスは、コアネットワークデバイスによって送信された第1のS1メッセージを受信する。中間デバイスは、第1のS1メッセージが中間デバイスによって管理されるスモールセルセット内のスモールセルに送信される必要があるかどうかを判定する。イエスである場合、中間デバイスは、あらかじめ設定されたマッピング関係に従って、セルグローバル識別情報に対応するスモールセル識別情報を取得する。マッピング関係は、中間デバイス上で保持される場合があるか、または別のデバイス上で保持される場合がある。中間デバイスは、第1のS1メッセージ内のマクロ基地局識別情報を、取得されたスモールセル識別情報に変換し、変換後、スモールセル識別情報を含む第2のS1メッセージを生成する。中間デバイスは、スモールセル識別情報に対応するスモールセルに生成された第2のS1メッセージを送信し、スモールセルは中間デバイスによって管理されるスモールセルセット内にある。スモールセルは、第2のS1メッセージのメッセージタイプを受信し、対応するシグナリング手順を完了する。
【手続補正９】
【補正対象書類名】明細書
【補正対象項目名】００４２
【補正方法】変更
【補正の内容】
【００４２】
中間デバイスにより第1のS1メッセージを取得するための方法は、中間デバイスから生成された第1のS1メッセージを取得すること、またはコアネットワークデバイスによって送信された第1のS1メッセージを受信すること、または別のネットワークデバイスによって送信された第1のS1メッセージを受信することであり得る。第1のS1メッセージは、マクロ基地局識別情報およびセルグローバル識別情報を含む。マクロ基地局識別情報は中間デバイスの識別情報である。マクロ基地局識別情報のビット幅は20bit以下である。セルグローバル識別情報はスモールセル向けに構成されたセルの識別情報を表す。セルの識別情報はグローバルな範囲内で一意である。
【手続補正１０】
【補正対象書類名】明細書
【補正対象項目名】００４４
【補正方法】変更
【補正の内容】
【００４４】
中間デバイスはスモールセルセットを管理し、スモールセルセットは複数のスモールセルを含む。中間デバイスにより、第1のS1メッセージが中間デバイスによって管理されるスモールセルセット内のスモールセルに送信される必要があるかどうかを判定するための方法は、第1のS1メッセージのメッセージタイプおよび宛先ネットワークデバイスに応じて、第1のS1メッセージが中間デバイスによって管理されるスモールセルセット内のスモールセルに送信される必要があるかどうかを判定することである。たとえば、第1のS1メッセージは、中間デバイスによって管理されるスモールセルセット内のスモールセルの構成プロセス、またはスモールセルに属するセル内のユーザ機器の構成に関連し、第1のS1メッセージは、中間デバイスによって管理されるスモールセルセット内のスモールセルに送信される必要がある。第1のS1メッセージが中間デバイス（マクロ基地局）の構成プロセスのみに関連する場合、スモールセルセット内のスモールセルに第1のS1メッセージを送信する必要はない。
【手続補正１１】
【補正対象書類名】明細書
【補正対象項目名】００４５
【補正方法】変更
【補正の内容】
【００４５】
S203．第1のS1メッセージがスモールセルに送信される必要がある場合、中間デバイスが、セルグローバル識別情報に対応するスモールセル識別情報を取得し、マクロ基地局識別情報をスモールセル識別情報に変換し、スモールセル識別情報を含む第2のS1メッセージを生成する。
【手続補正１２】
【補正対象書類名】明細書
【補正対象項目名】００４６
【補正方法】変更
【補正の内容】
【００４６】
セルグローバル識別情報は、スモールセル向けに構成されたセルの識別情報を一意に表すために使用される。第1のS1メッセージがスモールセルに送信される必要があると中間デバイスが判定した場合、中間デバイスは、スモールセル識別情報とセルグローバル識別情報との間のあらかじめ設定されたマッピング関係に従って、セルグローバル識別情報に対応するスモールセル識別情報を取得する。マッピング関係は、中間デバイス上で保持される場合があるか、または別のネットワークデバイス上で保持される場合がある。複数のセルがスモールセル向けに構成される場合があり、すなわち、1つのスモールセル識別情報が複数のグローバルセル識別情報に関連付けられる。スモールセル識別情報のビット幅は20bitよりも大きい。第1のS1メッセージ内のマクロ基地局識別情報をスモールセル識別情報に変換した後、中間デバイスは第2のS1メッセージを生成する。第2のS1メッセージはスモールセル識別情報を含む。
【手続補正１３】
【補正対象書類名】明細書
【補正対象項目名】００４８
【補正方法】変更
【補正の内容】
【００４８】
中間デバイスは、スモールセル識別情報に対応するスモールセルに第2のS1メッセージを送信し、スモールセルは中間デバイスによって管理されるスモールセルセット内にある。スモールセルは第2のS1メッセージを受信し、第2のS1メッセージのメッセージタイプに応じて、対応するシグナリング手順を完了する。
【手続補正１４】
【補正対象書類名】明細書
【補正対象項目名】００５１
【補正方法】変更
【補正の内容】
【００５１】
マクロ基地局識別情報のビット幅は、スモールセル識別情報のビット幅よりも小さい。中間デバイスは、マクロ基地局識別情報用のカスタムフィールドを拡張することにより、スモールセル識別情報のビット幅を取得することができる。たとえば、スモールセル識別情報のビット幅は28bitであり、マクロ基地局識別情報のビット幅は20bitである。中間デバイスは、8bitのカスタムフィールドにより20bitのマクロ基地局識別情報を拡張することができ、その結果、既存のマクロ基地局識別情報のビット幅は28bitに変わり、拡張されたマクロ基地局識別情報が見つかったスモールセル識別情報に変換される。
【手続補正１５】
【補正対象書類名】明細書
【補正対象項目名】００５３
【補正方法】変更
【補正の内容】
【００５３】
マクロ基地局識別情報のビット幅は、スモールセル識別情報のビット幅よりも小さい。マクロ基地局識別情報およびセルグローバル識別情報に加えて、第1のS1メッセージは、別の識別情報、たとえば、UE S1AP IDまたはPIDを含む場合がある。別の識別情報内のアイドルフィールドは、マクロ基地局識別情報のビット幅とスモールセル識別情報のビット幅との間の差分として使用される。たとえば、マクロ基地局識別情報は20bitのビット幅を有し、スモールセル識別情報は28bitのビット幅を有する。第1のS1メッセージ内で搬送される別の識別情報PIDのビット幅は18bitであるが、PID内では、10bitのみが使用され、8bitのアイドルフィールドが存在する。中間デバイスは、PID内のアイドルの8bitに従って既存の20bitのマクロ基地局識別情報を28bitの識別情報に拡張し、拡張されたマクロ基地局識別情報をスモールセル識別情報に変換する。中間デバイスは、1つの識別子のアイドルフィールドを使用することによりマクロ基地局識別情報のビット幅を拡張することに限定されず、複数の他の識別子のアイドルフィールドを使用することによりマクロ基地局識別情報を拡張する場合がある。このことは本発明では限定されない。
【手続補正１６】
【補正対象書類名】明細書
【補正対象項目名】００５５
【補正方法】変更
【補正の内容】
【００５５】
場合によっては、中間デバイスにより、第1のS1メッセージが中間デバイスによって管理されるスモールセルセット内のスモールセルに送信される必要があるかどうかを判定するステップは、
第1のS1メッセージのメッセージタイプを識別するステップと、
第1のS1メッセージのメッセージタイプがページングメッセージ、発展型無線アクセスベアラセットアップ要求メッセージ、または初期コンテキストセットアップ要求メッセージのうちのいずれか1つを含むとき、中間デバイスにより、第1のS1メッセージに対応するユーザ機器UEがスモールセルセットに属するセル内に位置するかどうかを判定するステップと、
イエスである場合、中間デバイスにより、第1のS1メッセージがスモールセルセット内のスモールセルに送信される必要があると判定するステップと、
を含む。
【手続補正１７】
【補正対象書類名】明細書
【補正対象項目名】００５６
【補正方法】変更
【補正の内容】
【００５６】
第1のS1メッセージは、ページングメッセージ、発展型無線アクセスベアラセットアップ要求メッセージ、または初期コンテキストセットアップ要求メッセージのうちのいずれか1つを含む。ページングメッセージは、スモールセルに属するセル内のUEにページングするために使用される。E−RABセットアップ要求メッセージは、UEとUEをサービスするスモールセルとの間の無線ベアラをセットアップするために使用される。初期コンテキストセットアップ要求メッセージは、スモールセルに属するセル内のUEの初期コンテキストをセットアップするために使用される。中間デバイスは、コアネットワークデバイスによって送信された、マクロ基地局識別情報およびセルグローバル識別情報を含む第1のS1メッセージを受信し、第1のS1メッセージに対応するUEがスモールセルセットによって管理されるセル内に位置するかどうかを判定し、スモールセルセットは中間デバイスによって管理される。判定方法は以下の通りである。UEがスモールセルセット内のスモールセル間をハンドオーバーされると、中間デバイスは、UEがごく最近位置していたセルのセルグローバル識別情報またはごく最近取得されたセル識別情報を記録し、第1のS1メッセージを受信した後、中間デバイスは、第1のS1メッセージ内のセルグローバル識別情報と記録されたセルグローバル識別情報とを比較して、UEがスモールセルセットに属するセル内に位置するかどうかを判定する。UEがスモールセルセットに属するセル内に位置する場合、中間デバイスは第1のS1メッセージをスモールセルに送信する必要があり、そうでない場合、中間デバイスは第1のS1メッセージをスモールセルに送信する必要がない。
【手続補正１８】
【補正対象書類名】明細書
【補正対象項目名】００５８
【補正方法】変更
【補正の内容】
【００５８】
中間デバイスは、中間デバイスによって管理されるスモールセルをコアネットワークデバイスから隠蔽し、コアネットワークデバイスはスモールセルの存在を知らない。スモールセル識別情報とセルグローバル識別情報との間のマッピング関係は、中間デバイス上であらかじめ構成される。中間デバイスは、コアネットワークデバイスによって送信された、セルグローバル識別情報およびマクロ基地局識別情報を含む第1のS1メッセージを受信する。中間デバイスは、マッピング関係に従って、セルグローバル識別情報に対応するスモールセル識別情報が存在するかどうかを照会する。スモールセル識別情報が存在する場合、それは、セルグローバル識別情報に対応するセルがスモールセルによって管理され、したがって、第1のS1メッセージがスモールセルに送信される必要があることを示す。そうでない場合、中間デバイスは第1のS1メッセージを直接処理する。
【手続補正１９】
【補正対象書類名】明細書
【補正対象項目名】００６３
【補正方法】変更
【補正の内容】
【００６３】
スモールセル識別情報のビット幅は28bitよりも小さく、セルグローバル識別情報のビット幅は28bitである。この場合、複数のセルが1つのスモールセル向けに構成される場合があり、構成されるセルの最大数は、セルグローバル識別情報のビット幅とスモールセル識別情報のビット幅との間の差分に依存し、スモールセルごとに最大228―y個のセルが構成される。
【手続補正２０】
【補正対象書類名】明細書
【補正対象項目名】００６６
【補正方法】変更
【補正の内容】
【００６６】
中間デバイスにより第1のS1メッセージを取得するための方法は、中間デバイスが中間デバイス上で生成された第1のS1メッセージを取得するか、または中間デバイスが中間デバイスによって管理されるスモールセルセット内のスモールセルによって送信された第1のS1メッセージを受信するか、または中間デバイスが別のネットワークデバイスによって送信された第1のS1メッセージを受信することである。スモールセル識別情報はスモールセルの識別情報を識別するために使用される。スモールセル識別情報のビット幅は20bitよりも大きい。
【手続補正２１】
【補正対象書類名】明細書
【補正対象項目名】００６８
【補正方法】変更
【補正の内容】
【００６８】
中間デバイスはスモールセルセットを管理する。スモールセルセットは複数のスモールセルを含む。中間デバイスにより、第1のS1メッセージがコアネットワークデバイスに送信される必要があるかどうかを判定するための方法は、第1のS1メッセージのメッセージタイプおよび宛先ネットワークデバイスに応じて、第1のS1メッセージがコアネットワークデバイスに送信される必要があるかどうかを判定することである。たとえば、第1のS1メッセージは、中間デバイスによって管理されるスモールセルセット内のスモールセルの構成プロセス、またはスモールセルに属するセル内のユーザ機器の構成に関連し、第1のS1メッセージは、コアネットワークデバイスに送信される必要がない。第1のS1メッセージがコアネットワークデバイスの構成プロセスに関連する場合、第1のS1メッセージは、コアネットワークデバイスに送信される必要がある。
【手続補正２２】
【補正対象書類名】明細書
【補正対象項目名】００７０
【補正方法】変更
【補正の内容】
【００７０】
マクロ基地局識別情報は中間デバイスの識別情報である。マクロ基地局識別情報のビット幅は20bitよりも小さい。中間デバイスは、スモールセル識別情報からあらかじめ設定された長さのビットを取り込むことにより、マクロ基地局識別情報を生成することができる。たとえば、スモールセル識別情報のビット幅が28bitであり、マクロ基地局識別情報のビット幅が20bitであり、スモールセル識別情報内の最初の20bitを取り込んだ後、中間デバイスはマクロ基地局識別情報を生成する。
【手続補正２３】
【補正対象書類名】明細書
【補正対象項目名】００７２
【補正方法】変更
【補正の内容】
【００７２】
中間デバイスはコアネットワークデバイスに一意に関連付けられる。中間デバイスは、マクロ基地局識別情報を含む第2のS1メッセージをコアネットワークデバイスに送信する。コアネットワークデバイスは、第2のS1メッセージのメッセージタイプに応じて、対応するシグナリング手順を完了する。
【手続補正２４】
【補正対象書類名】明細書
【補正対象項目名】００７５
【補正方法】変更
【補正の内容】
【００７５】
UEは、ソーススモールセルと宛先スモールセルとの間のスモールセルハンドオーバー手順を実施し、ソーススモールセルまたは宛先スモールセルのうちのただ1つが中間デバイスによって管理されるスモールセルセットに属する。中間デバイスは、中間デバイスによって管理されるスモールセルセットに属するスモールセルによって送信された第1のS1メッセージを、コアネットワークデバイスに送信する必要がある。
【手続補正２５】
【補正対象書類名】明細書
【補正対象項目名】００９１
【補正方法】変更
【補正の内容】
【００９１】
中間デバイスは、第1のスモールセルおよび第2のスモールセルが中間デバイスによって管理されるスモールセルセットに属さないと判断する。中間デバイスがHANDOVER REQUIREDメッセージ内のスモールセル識別情報を変換する必要があることは、第1の中間デバイスがスモールセルと中間デバイスとの間のマッピング関係を保持し、第1の中間デバイスがHANDOVER REQUIREDメッセージ内の第1のスモールセルのスモールセル識別情報を第1の中間デバイスのマクロ基地局識別情報に変換し、HANDOVER REQUIREDメッセージ内の第2のスモールセルのスモールセル識別情報を第2の中間デバイスのマクロ基地局識別情報に変換することである。
【手続補正２６】
【補正対象書類名】明細書
【補正対象項目名】０１１８
【補正方法】変更
【補正の内容】
【０１１８】
中間デバイスは、第1のスモールセルと第2のスモールセルの両方が中間デバイスによって管理されるスモールセルであり、コアネットワークデバイスにハンドオーバー必要メッセージを送信する必要がないことを見出す。
S505．中間デバイスは、第2のスモールセルにHANDOVER REQUESTメッセージを送信する。
【手続補正２７】
【補正対象書類名】明細書
【補正対象項目名】０１２５
【補正方法】変更
【補正の内容】
【０１２５】
図6を参照すると、図6は、本発明の一実施形態による、中間デバイスの概略構造図1である。本発明のこの実施形態では、中間デバイスは、図2のS1メッセージ伝送方法を実装するように構成される。中間デバイスは、取得モジュール601と、判定モジュール602と、変換モジュール603と、送信モジュール604とを含む。
【手続補正２８】
【補正対象書類名】明細書
【補正対象項目名】０１２７
【補正方法】変更
【補正の内容】
【０１２７】
判定モジュール602は、取得モジュール601によって取得された第1のS1メッセージが、中間デバイスによって管理されるスモールセルセット内のスモールセルに送信される必要があるかどうかを判定するように構成される。
【手続補正２９】
【補正対象書類名】明細書
【補正対象項目名】０１２８
【補正方法】変更
【補正の内容】
【０１２８】
変換モジュール603は、判定モジュール602の判定結果がイエスである場合、セルグローバル識別情報に対応するスモールセル識別情報を取得し、マクロ基地局識別情報をスモールセル識別情報に変換し、第2のS1メッセージを生成するように構成され、第2のS1メッセージはスモールセル識別情報を含む。
【手続補正３０】
【補正対象書類名】明細書
【補正対象項目名】０１２９
【補正方法】変更
【補正の内容】
【０１２９】
送信モジュール604は、変換モジュール603によって生成された第2のS1メッセージを、スモールセル識別情報に対応するスモールセルに送信するように構成される。
【手続補正３１】
【補正対象書類名】明細書
【補正対象項目名】０１３３
【補正方法】変更
【補正の内容】
【０１３３】
場合によっては、判定モジュール602は、
第1のS1メッセージのメッセージタイプを識別することと、
第1のS1メッセージのメッセージタイプがページングメッセージ、発展型無線アクセスベアラセットアップ要求メッセージ、または初期コンテキストセットアップ要求メッセージのうちのいずれか1つを含むとき、第1のS1メッセージに対応するユーザ機器UEがスモールセルセットに属するセル内に位置するかどうかを判定することと、
イエスである場合、第1のS1メッセージがスモールセルセット内のスモールセルに送信される必要があると判定することと
を行うように構成される。
【手続補正３２】
【補正対象書類名】明細書
【補正対象項目名】０１５１
【補正方法】変更
【補正の内容】
【０１５１】
本発明のいくつかの実施形態では、プロセッサ801により、第1のS1メッセージが中間デバイスによって管理されるスモールセルセット内のスモールセルに送信される必要があるかどうかを判定することは、
第1のS1メッセージのメッセージタイプを識別することと、
第1のS1メッセージのメッセージタイプがページングメッセージ、発展型無線アクセスベアラセットアップ要求メッセージ、または初期コンテキストセットアップ要求メッセージのうちのいずれか1つを含むとき、第1のS1メッセージに対応するユーザ機器UEがスモールセルセットに属するセル内に位置するかどうかを判定することと、
イエスである場合、第1のS1メッセージがスモールセルセット内のスモールセルに送信される必要があると判定することと、
を含む。
【国際調査報告】
2018534801.tif 000012
2018534801.tif 000013
2018534801.tif 000014
2018534801.tif 000015